(57)【要約】  基地局及び移動局は、多重入力多重出力（ＭＩＭＯ）通信を使用して通信する。上記基地局は２Ｄグリッドで設定されたＮ個のアンテナ要素を含む２次元（２Ｄ）アンテナアレイを含む。上記２Ｄアンテナアレイは、少なくとも一つの加入者局と通信するように設定される。また、上記基地局はＮ個のアンテナ要素の各々と関連したＮ個のチャンネル状態情報基準信号（ＣＳＩ−ＲＳ）アンテナポート（ＡＰ）を送信するように設定された制御器を含む。上記加入者局は、少なくとも一つの基地局と通信するように設定されたアンテナアレイを含む。また、上記加入者局は、少なくとも一つの基地局で２Ｄアクティブアンテナアレイから物理ダウンリンク共有チャンネル（ＰＤＳＣＨ）を受信するように設定された処理回路を含む。上記２ＤアクティブアンテナアレイはＮ個のアンテナ要素を含む。また、上記処理回路がＮ個のアンテナ要素と関連した全体ＣＳＩを推定するように設定される。
2015518671.tif 000002
【特許請求の範囲】
【請求項１】
無線通信ネットワークにおける使用のためのものとして、基地局は
ＮＨｘＮｖの２Ｄグリッドで設定されたＮ個のアンテナ要素を含み、少なくとも一つの加入者局と通信するように設定された２次元（２Ｄ）アンテナアレイと、
前記Ｎ個のアンテナ要素の各々と関連したＮ個のチャンネル状態情報基準信号（ＣＳＩ−ＲＳ）アンテナポート（ＡＰ）を送信するように設定された制御器と、を含むことを特徴とする基地局。
【請求項２】
前記制御器は、少なくとも２セットのＣＳＩ−ＲＳ  ＡＰを送信するように設定され、前記少なくとも一つの加入者局は、少なくとも２セットのＣＳＩ−ＲＳ  ＡＰを受信して処理する前記少なくとも一つの加入者局により推定された水平ＣＳＩ（Ｈ−ＣＳＩ）及び垂直ＣＳＩ（Ｖ−ＣＳＩ）を導出してフィードバックし、ＣＳＩ−ＲＳ  ＡＰの総個数はＮ未満であることを特徴とする請求項１に記載の基地局。
【請求項３】
前記制御器は、前記少なくとも２セットのＣＳＩ−ＲＳ  ＡＰに対してＣＳＩ−ＲＳ  ＡＰの第１のセット及びＣＳＩ−ＲＳ  ＡＰの第２のセットをマルチプレキシングするように設定されることを特徴とする請求項２に記載の基地局。
【請求項４】
前記マルチプレクサ作業は、時間領域マルチプレキシング（ＴＤＭ）、コード領域マルチプレキシング（ＣＤＭ）、周波数領域マルチプレキシング（ＦＤＭ）、及び空間領域マルチプレキシング（ＳＤＭ）のうち一つ以上を含み、
ＴＤＭマルチプレキシングが適用される場合、前記制御器は、二つの相異なる時間スロット、二つの相異なるサブフレーム、二つの相異なるＯＦＤＭシンボルセットのうち少なくとも一つを含む二つの相異なる時間位置で、前記少なくとも２セットのＣＳＩ−ＲＳ  ＡＰに対応するＣＳＩ−ＲＳ  ＡＰを送信するように設定され、
ＦＤＭマルチプレキシングが適用される場合、前記制御器は、二つの相異なる周波数またはサブキャリア位置で前記少なくとも２セットのＣＳＩ−ＲＳ  ＡＰに対応するＣＳＩ−ＲＳを送信するように設定され、
ＣＤＭマルチプレキシングが適用される場合、前記制御器は、同一の時間−周波数位置で二つの相異なる直交コードを使用して前記少なくとも２セットのＣＳＩ−ＲＳ  ＡＰに対応するＣＳＩ−ＲＳ  ＡＰを送信するように設定され、
ＳＤＭが適用される場合、前記制御器は、二つの相異なる空間ビームで前記少なくとも２セットのＣＳＩ−ＲＳ  ＡＰに対応するＣＳＩ−ＲＳ  ＡＰを送信するように設定され、前記少なくとも２セットのＣＳＩ−ＲＳ  ＡＰは、二つの相異なるスクランブリング初期化を使用して相異なるようにスクランブルされ、
ＦＤＭ／ＴＤＭマルチプレキシングが適用される場合、前記制御器は、二つの相異なる時間−周波数位置で前記少なくとも２セットのＣＳＩ−ＲＳ  ＡＰに対応するＣＳＩ−ＲＳ  ＡＰを送信するように設定されることを特徴とする請求項３に記載の基地局。
【請求項５】
多重入力多重出力（ＭＩＭＯ）通信を使用して少なくとも一つの基地局と通信するように設定された加入者局であって、前記加入者局は、
少なくとも一つの基地局と通信するように設定されたアンテナアレイと、
少なくとも一つの基地局で２Ｄアクティブアンテナアレイから物理ダウンリンク共有チャンネル（ＰＤＳＣＨ）を受信するように設定された処理回路を含み、前記２ＤアクティブアンテナアレイはＮ個のアンテナ要素を含み、前記処理回路は、Ｎ個のアンテナ要素と関連した水平及び垂直ＣＳＩを推定するようにさらに設定されることを特徴とする加入者局。
【請求項６】
前記処理回路は、少なくとも２セットのＣＳＩ−ＲＳ  ＡＰを受信して処理し、前記少なくとも２セットのＣＳＩ−ＲＳ  ＡＰから水平ＣＳＩ（Ｈ−ＣＳＩ）及び垂直ＣＳＩ（Ｖ−ＣＳＩ）を導出してフィードバックするように設定され、ＣＳＩ−ＲＳ  ＡＰの総個数はＮ未満であることを特徴とする請求項５に記載の加入者局。
【請求項７】
前記少なくとも２セットのＣＳＩ−ＲＳ  ＡＰに対するＣＳＩ−ＲＳ  ＡＰの第１のセット及びＣＳＩ−ＲＳ  ＡＰの第２のセットがマルチプレキシングされることを特徴とする請求項６に記載の加入者局。
【請求項８】
前記マルチプレクサ作業は、時間領域マルチプレキシング（ＴＤＭ）、コード領域マルチプレキシング（ＣＤＭ）、周波数領域マルチプレキシング（ＦＤＭ）、及び空間領域多重マルチプレキシング（ＳＤＭ）のうち一つ以上を含み、
ＴＤＭマルチプレキシングが適用される場合、前記制御器は、二つの相異なる時間スロット、二つの相異なるサブフレーム、二つの相異なるＯＦＤＭシンボルセットのうち少なくとも一つを含む二つの相異なる時間位置で、前記少なくとも２セットのＣＳＩ−ＲＳ  ＡＰに対応するＣＳＩ−ＲＳを送信するように設定され、
ＦＤＭマルチプレキシングが適用される場合、前記制御器は、二つの相異なる周波数またはサブキャリア位置で前記少なくとも２セットのＣＳＩ−ＲＳ  ＡＰに対応するＣＳＩ−ＲＳ  ＡＰを送信するように設定され、
ＣＤＭマルチプレキシングが適用される場合、前記制御器は、同一の時間−周波数位置で二つの相異なる直交コードを使用して前記少なくとも２セットのＣＳＩ−ＲＳ  ＡＰに対応するＣＳＩ−ＲＳ  ＡＰを送信するように設定され、
ＳＤＭが適用される場合、前記制御器は、二つの相異なる空間ビームで前記少なくとも２セットのＣＳＩ−ＲＳ  ＡＰに対応するＣＳＩ−ＲＳを送信するように設定され、前記少なくとも２セットのＣＳＩ−ＲＳ  ＡＰは二つの相異なるスクランブリング初期化を使用して相異なるようにスクランブルされ、
ＦＤＭ／ＴＤＭマルチプレキシングが適用される場合、前記制御器は、二つの相異なる時間−周波数位置で前記少なくとも２セットのＣＳＩ−ＲＳ  ＡＰに対応するＣＳＩ−ＲＳ  ＡＰを送信するように設定されることを特徴とする請求項７に記載の加入者局。
【請求項９】
無線通信ネットワークでの使用のためのものとして、方法は
２次元（２Ｄ）アンテナアレイから、Ｎ個のチャンネル状態情報基準信号（ＣＳＩ−ＲＳ）アンテナポート（ＡＰ）を送信するステップを含み、前記２ＤアンテナアレイはＮＨｘＮｖの２Ｄグリッドで設定されたＮ個のアンテナ要素を含み、前記ＣＳＩ−ＲＳ  ＡＰは、前記Ｎ個のアンテナ要素の各々と関連することを特徴とする方法。
【請求項１０】
送信するステップは、少なくとも２セットのＣＳＩ−ＲＳ  ＡＰを送信するステップを含み、
前記少なくとも一つの加入者局からフィードバック信号を受信するステップをさらに含み、前記フィードバック信号は、前記少なくとも２セットのＣＳＩ−ＲＳを受信して処理する少なくとも一つの加入者局により推定された水平ＣＳＩ（Ｈ−ＣＳＩ）及び垂直ＣＳＩ（Ｖ−ＣＳＩ）を含み、ＣＳＩ−ＲＳ  ＡＰの総個数はＮ未満であることを特徴とする請求項９に記載の方法。
【請求項１１】
前記Ｈ−ＣＳＩは、前記少なくとも一つの加入者局で推定された水平配置されたアンテナ要素と主に関連したチャンネル特性を含み、水平ＣＱＩ（Ｈ−ＣＱＩ）、水平ＰＭＩ（Ｈ−ＰＭＩ）及び水平ＲＩ（Ｈ−ＲＩ）を含む請求項２に記載の基地局、又は請求項６に記載の加入者局、又は請求項１０に記載の方法。
【請求項１２】
前記Ｖ−ＣＳＩは、前記少なくとも一つの加入者局で推定された垂直配置されたアンテナ要素と主に関連したチャンネル特性を含み、垂直ＣＱＩ（Ｖ−ＣＱＩ）、垂直ＰＭＩ（Ｖ−ＰＭＩ）及び垂直ＲＩ（Ｖ−ＲＩ）を含む請求項２に記載の基地局、又は請求項６に記載の加入者局、又は請求項１０に記載の方法。
【請求項１３】
送信するステップは、前記少なくとも２セットのＣＳＩ−ＲＳに対するＣＳＩ−ＲＳの第１のセット及びＣＳＩ−ＲＳの第２のセットをマルチプレキシングするステップを含むことを特徴とする請求項９に記載の方法。
【請求項１４】
前記Ｖ−ＣＳＩは、前記少なくとも一つの加入者局で推定された垂直配置されたアンテナ要素と主に関連したチャンネル特性を含み、垂直ＣＱＩ（Ｖ−ＣＱＩ）、  垂直ＰＭＩ（Ｖ−ＰＭＩ）及び垂直ＲＩ（Ｖ−ＲＩ）を含み、
マルチプレキシングは、時間領域マルチプレキシング（ＴＤＭ）、コード領域マルチプレキシング（ＣＤＭ）、周波数領域マルチプレキシング（ＦＤＭ）、及び空間領域マルチプレキシング（ＳＤＭ）のうち一つ以上を含み、
ＴＤＭマルチプレキシングが適用される場合、前記制御器は、二つの相異なる時間スロット、二つの相異なるサブフレーム、二つの相異なるＯＦＤＭシンボルセットのうち少なくとも一つを含む二つの相異なる時間位置で、前記少なくとも２セットのＣＳＩ−ＲＳ  ＡＰに対応するＣＳＩ−ＲＳ  ＡＰを送信するように設定され、
ＦＤＭマルチプレキシングが適用される場合、前記制御器は、二つの相異なる周波数またはサブキャリア位置で前記少なくとも２セットのＣＳＩ−ＲＳ  ＡＰに対応するＣＳＩ−ＲＳ  ＡＰを送信するように設定され、
ＣＤＭマルチプレキシングが適用される場合、前記制御器は、同一の時間−周波数位置で二つの相異なる直交コードを使用して前記少なくとも２セットのＣＳＩ−ＲＳ  ＡＰに対応するＣＳＩ−ＲＳ  ＡＰを送信するように設定され、
ＳＤＭが適用される場合、前記制御器は、二つの相異なる空間ビームで前記少なくとも２セットのＣＳＩ−ＲＳ  ＡＰに対応するＣＳＩ−ＲＳを送信するように設定され、前記少なくとも２セットのＣＳＩ−ＲＳ  ＡＰは二つの相異なるスクランブリング初期化を使用して相異なるようにスクランブルされ、
ＦＤＭ／ＴＤＭマルチプレキシングが適用される場合、前記制御器は、二つの相異なる時間−周波数位置で前記少なくとも２セットのＣＳＩ−ＲＳ  ＡＰに対応するＣＳＩ−ＲＳを送信するように設定されることを特徴とする請求項１０に記載の方法。
【請求項１５】
前記少なくとも２セットのＣＳＩ−ＲＳ  ＡＰは
Ａ−ＣＳＩ−ＲＳ及びＢ−ＣＳＩ−ＲＳと、
垂直ＣＳＩ−ＲＳ  ＡＰ及び水平ＣＳＩ−ＲＳ  ＡＰと、
二つの水平ＣＳＩ−ＲＳ  ＡＰと、
一次ＣＳＩ−ＲＳ  ＡＰ及び二次ＣＳＩ−ＲＳ  ＡＰのうち一つを含む請求項２に記載の基地局、又は請求項６に記載の加入者局、又は請求項１０に記載の方法。
【発明の詳細な説明】
【技術分野】
【０００１】
本発明は、無線通信システム、より具体的には、次世代無線通信システムのためのチャンネル−状態−情報パイロット設計に関する。
【背景技術】
【０００２】
３ＧＰＰロングタームエボルーション（Ｌｏｎｇ  Ｔｅｒｍ  Ｅｖｏｌｕｔｉｏｎ；ＬＴＥ）及びロングタームエボルーションアドバンスド（Ｌｏｎｇ  Ｔｅｒｍ  Ｅｖｏｌｕｔｉｏｎ  Ａｄｖａｎｃｅｄ：ＬＴＥ−Ａ）システムは、周波数分割デュプレックス（Ｆｒｅｑｕｅｎｃｙ  Ｄｉｖｉｓｉｏｎ  Ｄｕｐｌｅｘ：ＦＤＤ；ＦＤＤ）モードまたは時間分割デュプレックス（Ｔｉｍｅ  Ｄｉｖｉｓｉｏｎ  Ｄｕｐｌｅｘ：ＴＤＤ）モードで作動することができる。ＦＤＤモードでは、アップリンク（ｕｐｌｉｎｋ）及びダウンリンク（ｄｏｗｎｌｉｎｋ）送信のために二つの相異なる周波数が使用され、基地局及びユーザ端末は、データを同時に送信し受信することができる。ＴＤＤモードでは、アップリンク及びダウンリンク送信のために同一の周波数が使用され、基地局及びユーザ端末は、データを同時に送信し受信することができない。したがって、ＴＤＤモードで、ＬＴＥシステムは、アップリンクまたはダウンリンクのためのサブフレームを指定する設定を有する。
【発明の概要】
【発明が解決しようとする課題】
【０００３】
本発明の目的は、無線通信ネットワークでチャンネル状態情報パイロット（基準信号）を設計するための方法及び装置を提供することにある。
【課題を解決するための手段】
【０００４】
本発明の一様態によれば、基地局が提供される。上記基地局は、ＮＨｘＮＶの２Ｄグリッドで設定されたＮ個のアンテナ要素を含む２次元（２Ｄ）アンテナアレイを含む。上記２Ｄアンテナアレイは、少なくとも一つの加入者局（ｓｕｂｓｃｒｉｂｅｒ  ｓｔａｔｉｏｎ）と通信するように設定される。また、基地局はＮ個のアンテナ要素（ａｎｔｅｎｎａ  ｅｌｅｍｅｎｔ）各々と関連したＮ個のチャンネル状態情報基準信号（ＣＳＩ−ＲＳ）アンテナポート（ＡＰ）を送信するように設定された制御器を含む。
【０００５】
本発明の他の様態によれば、加入者局が提供される。上記加入者局は、少なくとも一つの基地局と通信するように設定されたアンテナアレイを含む。また、上記加入者局は、少なくとも一つの基地局で２Ｄアクティブアンテナアレイから物理ダウンリンク共有チャンネル（ＰＤＳＣＨ）を受信するように設定された処理回路を含む。上記２Ｄアクティブアンテナアレイは、Ｎ個のアンテナ要素を含む。また、上記処理回路は、Ｎ個のアンテナ要素と関連した水平及び垂直ＣＳＩを推定するように設定される。
【０００６】
本発明のもう一つの様態によれば、方法が提供される。上記方法は２次元（２Ｄ）アンテナアレイから、Ｎ個のチャンネル状態情報基準信号（ＣＳＩ−ＲＳ）アンテナポート（ＡＰ）を送信するステップを含む。上記２Ｄアンテナアレイは、ＮＨｘＮＶの２Ｄグリッドで設定されたＮ個のアンテナ要素を含む。上記ＣＳＩ−ＲＳ  ＡＰはＮ個のアンテナ要素の各々と関連する。
【０００７】
本発明を詳細に説明するのに先立って、本明細書の全般にわたって使用される特定の単語及び語句の定義を開示することが望ましい。“含む（ｉｎｃｌｕｄｅ）”及び  “備える（ｃｏｍｐｒｉｓｅ）”という語句だけではなく、その派生語（ｄｅｒｉｖａｔｉｖｅｓ  ｔｈｅｒｅｏｆ）は、限定ではなく、含みを意味する。“又は（ｏｒ）”という用語は、“及び／又は（ａｎｄ／ｏｒ）”の意味を包括する。“関連した（ａｓｓｏｃｉａｔｅｄ  ｗｉｔｈ）”及び“それと関連した（ａｓｓｏｃｉａｔｅｄ  ｔｈｅｒｅｗｉｔｈ）”という語句だけではなく、その派生語句は、“含む（ｉｎｃｌｕｄｅ）”、“含まれる（ｂｅ  ｉｎｃｌｕｄｅｄ  ｗｉｔｈｉｎ）”、“相互に連結する（ｉｎｔｅｒｃｏｎｎｅｃｔ  ｗｉｔｈ）”、“包含する（ｃｏｎｔａｉｎ）”、“包含される（ｂｅ  ｃｏｎｔａｉｎｅｄ  ｗｉｔｈｉｎ）”、“連結する（ｃｏｎｎｅｃｔ  ｔｏ  ｏｒ  ｗｉｔｈ）”、“結合する（ｃｏｕｐｌｅ  ｔｏ  ｏｒ  ｗｉｔｈ）”、“疎通する（ｂｅ  ｃｏｍｍｕｎｉｃａｂｌｅ  ｗｉｔｈ）”、“協力する（ｃｏｏｐｅｒａｔｅ  ｗｉｔｈ）”、“相互配置する（ｉｎｔｅｒｌｅａｖｅ）”、“並置する（ｊｕｘｔａｐｏｓｅ）”、“近接する（ｂｅ  ｐｒｏｘｉｍａｔｅ  ｔｏ）”、“接する（ｂｅ  ｂｏｕｎｄ  ｔｏ  ｏｒ  ｗｉｔｈ）”、“有する（ｈａｖｅ）”、及び“特性を有する（ｈａｖｅ  ａ  ｐｒｏｐｅｒｔｙ  ｏｆ）”などを意味することができる。制御器は、少なくとも１つの動作を制御する装置、システム又はその部分を意味するもので、ハードウェア、ファームウェア、ソフトウェア、又は、それらのうちの２つ以上の組合せで実現することができる。特定の制御器に関連する機能は、集中しているか、あるいは近距離、または遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【０００８】
本発明の開示及びその利点に関するより完璧な理解のために、次の説明は、添付図面を用いてなされ、添付の図面で類似した参照番号は類似した部分を示す。
【図面の簡単な説明】
【０００９】
【図１】本発明の実施形態による無線ネットワークを示す図である。
【図２Ａ】本発明の実施形態による無線送信経路のハイレベルダイヤグラム（ｈｉｇｈ−ｌｅｖｅｌ  ｄｉａｇｒａｍ）を示す図である。
【図２Ｂ】本発明の実施形態による無線受信経路のハイレベルダイヤグラムを示す図である。
【図３】本発明の実施形態による加入者局を示す図である。
【図４】本発明の実施形態による２Ｄアクティブアンテナアレイを備えた送信ポイント（ｔｒａｎｓｍｉｓｓｉｏｎ  ｐｏｉｎｔ）を示す図である。
【図５】本発明の実施形態による２Ｄアクティブアンテナアレイから移動局（ｍｏｂｉｌｅ  ｓｔａｔｉｏｎ）への方位角（ａｚｉｍｕｔｈ  ａｎｇｌｅ）及び仰角（ｅｌｅｖａｔｉｏｎ  ａｎｇｌｅ）を示す図である。
【図６】本発明の実施形態によるＨ−ＰＭＩ及びＶ−ＰＭＩを示す図である。
【図７】本発明の実施形態による第１及び第２のＣＳＩ−ＲＳ  ＡＰを示す図である。
【図８Ａ】本発明の実施形態によるＡ−ＣＳＩ−ＲＳ及びＢ−ＣＳＩ−ＲＳのジョイント設定（ｊｏｉｎｔ  ｃｏｎｆｉｇｕｒａｔｉｏｎ）を示す図である。
【図８Ｂ】本発明の実施形態によるＡ−ＣＳＩ−ＲＳ及びＢ−ＣＳＩ−ＲＳのジョイント設定を示す図である。
【図８Ｃ】本発明の実施形態によるＡ−ＣＳＩ−ＲＳ及びＢ−ＣＳＩ−ＲＳのジョイント設定を示す図である。
【図９】本発明の実施形態による垂直ＣＳＩ−ＲＳ  ＡＰ及び水平ＣＳＩ−ＲＳ  ＡＰを示す図である。
【図１０】本発明の実施形態による水平及び垂直ＣＳＩ−ＲＳ  ＡＰの構成を示す図である。
【図１１】本発明の実施形態による水平及び垂直ＣＳＩ−ＲＳ  ＡＰの構成を示す図である。
【図１２】本発明の実施形態による水平ＣＳＩ−ＲＳ  ＡＰの第１及び第２のセットを示す図である。
【図１３】本発明の実施形態による２セットのＨ−ＣＳＩ−ＲＳ  ＡＰの構成を示す図である。
【図１４】本発明の実施形態による２セットのＨ−ＣＳＩ−ＲＳ  ＡＰの構成を示す図である。
【図１５】本発明の実施形態による一次及び二次ＣＳＩ−ＲＳ  ＡＰを示す図である。
【図１６】本発明の実施形態による一次及び二次ＣＳＩ−ＲＳの構成を示す図である。
【発明を実施するための形態】
【００１０】
以下に説明する図１乃至図１６及びこの特許文献で本発明の開示原理を説明するために使用される多様な実施形態は、ただ例示としてのみ提供され、開示の範囲を制限するいかなる方法としても理解されてはならない。本発明の開示原理が適切に配列された無線通信システムで実現されることは、当該技術分野における通常の知識を持つ者には理解できることである。
【００１１】
本明細書に完全に明示されたように、次の文書及び標準規格が本発明に含まれる。３ＧＰＰ  ＴＳ  ３６．２１１  ｖ１０．１．０、“Ｅ−ＵＴＲＡ、物理的チャンネル及び変調”（ＲＥＦ１）；３ＧＰＰ  ＴＳ  ３６．２１２  ｖ１０．１．０、“Ｅ−ＵＴＲＡ、マルチプレキシング（ｍｕｌｔｉｐｌｅｘｉｎｇ）及びチャンネルコーディング（ｃｈａｎｎｅｌ  ｃｏｄｉｎｇ）”（ＲＥＦ２）；３ＧＰＰ  ＴＳ  ３６．２１３  ｖ１０．１．０、“Ｅ−ＵＴＲＡ、物理的階層手順（ｐｈｙｓｉｃａｌ  ｌａｙｅｒ  ｐｒｏｃｅｄｕｒｅ）”（ＲＥＦ３）；及び３ＧＰＰ  ＴＳ３６．３３１  ｖ１０．１．０（ＲＥＦ４）。
【００１２】
図１は、本発明の一実施形態による無線ネットワーク１００を示す。図１に示された無線ネットワーク１００の実施形態は、説明のためのものであるにすぎない。本発明の範囲から逸脱することなく、無線ネットワーク１００の他の実施形態が使用され得る。
【００１３】
無線ネットワーク１００は、基地局ｅＮｏｄｅＢ（ｅＮＢ）１０１、ｅＮＢ１０２、及びｅＮＢ１０３を含む。ｅＮＢ１０１はｅＮＢ１０２及びｅＮＢ１０３と通信する。また、ｅＮＢ１０１はインターネット、固有ＩＰネットワーク（ｐｒｏｐｒｉｅｔａｒｙ  Ｉｐ  ｎｅｔｗｏｒｋ）、または他のデータネットワークのような、インターネットプロトコル（ＩＰ）ネットワーク１３０と通信する。
【００１４】
ネットワークタイプによって、“ｅＮｏｄｅＢ”の代りに“基地局”または“アクセスポイント（ａｃｃｅｓｓ  ｐｏｉｎｔ）”のような他のよく知られている用語が使用され得る。説明の便宜のために、本明細書において、“ｅＮｏｄｅＢ”という用語は、遠隔端末に無線アクセスを提供するネットワークインフラ設定要素を意味するために使用される。また、本明細書での“ユーザ端末”または“ＵＥ”という用語は、ｅＮＢに無線でアクセスし、ＵＥがモバイル装置（例えば、携帯電話）でも一般的に固定装置（例えば、デスクトップ個人用コンピュータ、自動販売機など）でも構わずに、無線通信ネットワークを通じてサービスにアクセスする消費者により使用され得る遠隔無線端末を表記するために使用される。遠隔端末に対する他のよく知られている用語としては、“移動局”（ＭＳ）及び“加入者局”（ＳＳ）、“遠隔端末”（ＲＴ）、“無線端末”（ＷＴ）などがある。
【００１５】
ｅＮＢ１０２は、ｅＮＢ１０２のサービス地域（ｃｏｖｅｒａｇｅ  ａｒｅａ）１２０内で複数の第１のユーザ端末（ＵＥ）にネットワーク１３０に対する無線広域アクセスを提供する。複数の第１のＵＥは、スモール・ビジネス（ｓｍａｌｌ  ｂｕｓｉｎｅｓｓ：ＳＢ）に位置し得るＵＥ１１１、エンタープライズ（ｅｎｔｅｒｐｒｉｓｅ：Ｅ）に位置し得るＵＥ１１２、ＷｉＦｉホットスポット（ＨＳ）に位置し得るＵＥ１１３、第１のレジデンスに位置し得るＵＥ１１４、第２のレジデンスに位置し得るＵＥ１１５、及び携帯電話のようなモバイル装置、無線ラップトップ、無線ＰＤＡなどであり得るＵＥ１１６を含む。ＵＥ１１１乃至ＵＥ１１６は、携帯電話、無線ＰＤＡ及びすべての移動局（ＭＳ）のような無線通信装置であり得るが、これに限定されない。
【００１６】
ｅＮＢ１０３は、ｅＮＢ１０３のサービス地域１２５内で複数の第２のＵＥに無線広域アクセスを提供する。複数の第２のＵＥは、ＵＥ１１５及びＵＥ１１６を含む。一部の実施形態で、一つ以上のｅＮＢ（１０１乃至１０３）は、５Ｇ、ＬＴＥ、ＬＴＥ−Ａ、または、本発明の実施形態で説明したような新たなチャンネル状態情報パイロット設計を使用するための技術を含むＷｉＭＡＸ技術を使用して、相互及びＵＥ（１１１乃至１１６）と通信することができる。
【００１７】
点線は、サービス地域（１２０及び１２５）の概略的なサイズを示したもので、例示及び説明のためにほぼ円形で示されている。基地局と関連したサービス地域、例えば、図面符号１２０のサービス地域及び図面符号１２５のサービス地域は、基地局の設定によって、不規則な形状を含んで他の形状ら、及び天然及び人工障害物と関連した無線環境での変化を有することができることを明確に理解しなければならない。
【００１８】
図１は、無線ネットワーク１００の一例を示すが、多様な変更が図１になされることができる。例えば、有線ネットワークのような他のタイプのデータネットワークは、無線ネットワーク１００に代替することができる。有線ネットワークで、ネットワーク端末がｅＮＢ１０１〜１０３及びＵＥ１１１〜１１６を代替できる。有線接続は、図１に示す無線接続を代替することができる。
【００１９】
図２Ａは、無線送信経路のハイレベルダイヤグラムである。図２Ｂは、無線受信経路のハイレベルダイヤグラムである。図２Ａ及び図２Ｂで、送信経路２００は、例えば、ｅＮＢ１０２で実現され、受信経路２５０は、例えば、図１のＵＥ１１６のような、ＵＥで実現されることができる。しかしながら、受信経路２５０がｅＮＢ（例えば、図１のｅＮＢ１０２）で実現され、送信経路２００がＵＥで実現されることもできる。特定の実施形態で、送信経路２００及び受信経路２５０は、本発明の実施形態で説明されたように新たなチャンネル−状態情報パイロット設計を使用する通信のための方法を遂行するように設定される。
【００２０】
送信経路２００は、チャンネルコーディング及び変調ブロック２０５、直列−並列（Ｓ−ｔｏ−Ｐ）ブロック２１０、サイズＮの逆高速フーリエ変換（ＩＦＦＴ）ブロック２１５、並列−直列（Ｐ−ｔｏ−Ｓ）ブロック２２０、サイクリックプレフィックス（ｃｙｃｌｉｃ  ｐｒｅｆｉｘ）追加ブロック２２５、アップコンバータ（ＵＣ）２３０を含む。受信経路２５０は、ダウンコンバータ（ＤＣ）２５５、サイクリックプレフィックス除去ブロック２６０、直列−並列（ｓｅｒｉａｌ−ｔｏ−ｐａｒａｌｌｅｌ：Ｓ−ｔｏ−Ｐ）ブロック２６５、サイズＮの高速フーリエ変換（ＦＦＴ）ブロック２６５、  並列−直列（ｐａｒａｌｌｅｌ−ｔｏ−ｓｅｒｉａｌ：Ｐ−ｔｏ−Ｓ）ブロック２７５、チャンネルデコーディング及び復調ブロック２８０を含む。
【００２１】
図２Ａ及び図２Ｂの設定要素のうち少なくとも一部は、ソフトウェアで具現され得る反面に、他の設定要素は、設定可能なハードウェア（例えば、プロセッサ）、またはソフトウェアと設定可能なハードウェアの混合により具現されることができる。特に、本発明の明細書で説明されるＦＦＴブロック及びＩＦＦＴブロックは、設定可能なソフトウェアアルゴリズムとして具現されることができ、サイズＮの値は、この具現に従って修正されることができる。
【００２２】
また、本発明は、高速フーリエ変換及び逆高速フーリエ変換を具現する一実施形態に関するが、これは説明のみのためのものであり、発明の範囲を限定するように解析されてはいけない。本発明の他の実施形態で、高速フーリエ変換関数（ｆｕｎｃｔｉｏｎ）及び逆高速フーリエ変換関数は、離散フーリエ変換（ＤＦＴ）関数及び逆離散フーリエ変換（ＩＤＦＴ）関数に各々容易に代替できることがわかる。ＤＦＴ及びＩＤＦＴ関数において、変数Ｎの値は任意の整数（すなわち、１、２、３、４など）であり、一方、ＦＦＴ及びＩＤＦＴ関数において、変数Ｎの値は２のべき乗である任意の整数（すなわち、１、２、４、８、１６など）であり得る。
【００２３】
送信経路２００で、チャンネルコーディング及び変調ブロック２０５は、  情報ビットの集合を受信し、コーディング（例えば、ＬＤＰＣコーディング）を適用して、入力ビットを変調（例えば、直交位相偏移変調（ＱＰＳＫ）または直交振幅変調（ＱＡＭ））して周波数領域変調シンボルのシーケンスを生成する。直列−並列ブロック２１０は、直列変調されたシンボルを並列データに変換（すなわち、デマルチプレキシング）して、Ｎ個の並列シンボルストリームを生成し、ここで、ＮはｅＮＢ１０２及びＵＥ１１６で使用されるＩＦＦＴ／ＦＦＴサイズである。以後、サイズＮのＩＦＦＴブロック２１５は、Ｎ個の並列シンボルストリームでＩＦＦＴ動作を実行して時間領域出力信号を生成する。並列−直列ブロック２２０は、サイズＮのＩＦＦＴブロック２１５からの並列時間領域出力シンボルを変換（すなわち、マルチプレキシング）して、直列時間領域信号を生成する。以後、サイクリックプレフィックス追加ブロック２２５は、時間領域信号にサイクリックプレフィックスを挿入する。最後に、アップコンバータ２３０は、サイクリックプレフィックス追加ブロック２５５の出力を無線チャンネルを介した送信のためのＲＦ周波数に変調（すなわち、アップコンバーティング）する。また、この信号はＲＦ周波数への変換の前にベースバンド（ｂａｓｅｂａｎｄ）でフィルタリングされ得る。
【００２４】
送信されたＲＦ信号は、無線チャンネルを通過した後にＵＥ１１６に到達し、ｅＮＢ１０２でこれらに対する逆作業（ｒｅｖｅｒｓｅ  ｏｐｅｒａｔｉｏｎ）が実行される。ダウンコンバータ２５５は、受信された信号をベースバンド周波数にダウンコンバーティングし、サイクリックプレフィックス除去ブロック２６０は、直列時間領域ベースバンド信号を生成するためにサイクリックプレフィックスを除去する。直列−並列ブロック２６５は、時間領域ベースバンド信号を並列時間領域信号に変換する。以後、サイズＮのＦＦＴブロック２７０は、ＦＦＴアルゴリズムを実行してＮ個の並列周波数領域信号を生成する。並列−直列ブロック２７５は、並列周波数領域信号を変調されたデータシンボルのシーケンスに変換する。以後、チャンネルデコーディング及び復調ブロック２８０は、変調されたシンボルを復調した後にデコーディングして元来の入力データストリームを復旧する。
【００２５】
それぞれのｅＮＢ（１０１乃至１０３）は、ダウンリンクでＵＥ（１１１乃至１１６）に送信するステップと類似の送信経路を具現することができ、アップリンクでＵＥ（１１１乃至１１６）から受信するステップと類似の受信経路を具現することもできる。同様に、それぞれのＵＥ（１１１乃至１１６）は、アップリンクでｅＮＢ（１０１乃至１０３）に送信するためのアーキテクチャに対応する送信経路を具現することができ、ダウンリンクでｅＮＢ（１０１乃至１０３）から受信するためのアーキテクチャに対応する受信経路を具現することもできる。
【００２６】
図３は、本発明の実施形態による加入者局を示す。図３に示された、ＵＥ１１６のような、加入者局の実施形態は、説明のためのものであるにすぎない。本発明の範囲から逸脱することなく無線加入者局の他の実施形態が使用され得る。
【００２７】
ＵＥ１１６は、アンテナ３０５、無線周波数（ＲＦ）送受信器３１０、送信（ＴＸ）処理回路３１５、マイクロホン３２０、及び受信（ＲＸ）処理回路３２５を含む。一つのアンテナで示されたが、アンテナ３０５は、複数のアンテナを含み得る。また、ＵＥ１１６は、スピーカ３３０、メインプロセッサ３４０、入／出力（Ｉ／Ｏ）インターフェース（ＩＦ）３４５、キーパッド３５０、ディスプレイ３５５、及びメモリ３６０を含む。また、メモリ３６０は、オペレーティングシステム（ＯＳ）プログラム３６１及び複数のアプリケーション３６２を含む。上記複数のアプリケーションは、一つ以上のリソースマッピングテーブル（本明細書の以下でより詳細に説明されるテーブル１乃至１０）を含み得る。
【００２８】
無線周波数（ＲＦ）送受信器３１０は、無線ネットワーク１００の基地局により送信される入力ＲＦ信号をアンテナ３０５から受信する。無線周波数（ＲＦ）送受信器３１０は、中間周波数（ＩＦ）またはベースバンド信号を生成するために入力ＲＦ信号をダウンコンバーティングする。ＩＦまたはベースバンド信号は、ベースバンドまたはＩＦ信号をフィルタリング、デコーディング、及び／またはデジタル化して、処理されたベースバンド信号を生成する受信器（ＲＸ）処理回路３２５に送信される。受信器（ＲＸ）処理回路３２５は、追加処理（すなわち、ウェブブラウジング）のために、処理されたベースバンド信号をスピーカ３３０（すなわち、音声データ）またはメインプロセッサ３４０に送信する。
【００２９】
送信器（ＴＸ）処理回路３１５は、マイクロホン３２０からアナログまたはデジタル音声データを受信するか、メインプロセッサ３４０から他の出力ベースバンドデータ（例えば、ウェブデータ、電子メール、対話形ビデオゲームデータ）を受信する。送信器（ＴＸ）処理回路３１５は、処理されたベースバンドまたはＩＦ信号を生成するために出力ベースバンドデータをエンコーディングし、マルチプレキシングし、及び／またはデジタル化する。無線周波数（ＲＦ）送受信器３１０は、送信器（ＴＸ）処理回路３１５から出力処理されたベースバンドまたはＩＦ信号を受信する。無線周波数送受信器３１０は、ベースバンドまたはＩＦ信号を、アンテナ３０５を通して送信される無線周波数（ＲＦ）信号にアップコンバーティングする。
【００３０】
特定の実施形態で、メインプロセッサ３４０は、マイクロプロセッサまたはマイクロ制御器である。メモリ３６０は、メインプロセッサ３４０に結合される。本発明の一部の実施形態によれば、メモリ３６０の一部は、無線アクセスメモリ（ＲＡＭ）を含み、メモリ３６０の他の一部は、読み取り専用メモリ（ＲＯＭ）としての役割をするフラッシュメモリを含む。
【００３１】
メインプロセッサ３４０は、無線加入者局１１６の全体動作を制御するためにメモリ３６０に保存されたオペレーティングシステム（ＯＳ）プログラム３６１を実行する。このような一つの作業で、メインプロセッサ３４０は、よく知られた原理によって、無線周波数（ＲＦ）送受信器３１０、受信器（ＲＸ）処理回路３２５、及び送信器（ＴＸ）処理回路３１５により順方向（ｆｏｒｗａｒｄ）チャンネル信号の受信及び逆方向（ｒｅｖｅｒｓｅ）チャンネル信号の送信を制御する。
【００３２】
メインプロセッサ３４０は、本発明の実施形態で説明されたように新たなチャンネル状態情報パイロット設計を含み、通信を遂行するための動作のように、メモリ３６０に常駐する他のプロセス及びプログラムを実行することができる。メインプロセッサ３４０は、実行するプロセスの要請によって、データをメモリ３６０内へまたはメモリ外に移動させることができる。一部の実施形態で、メインプロセッサ３４０は、ＣｏＭＰ通信及びＭＵ−ＭＩＭＯ通信のためのアプリケーションのように、複数のアプリケーション３６２を実行するように設定される。メインプロセッサ３４０は、ＯＳプログラム３６１を基盤とするか、ＢＳ１０２から受信される信号に応答して複数のアプリケーション３６２を作動させることができる。また、メインプロセッサ３４０は、Ｉ／Ｏインターフェース３４５に結合される。Ｉ／Ｏインターフェース３４５は、加入者局１１６にラップトップコンピュータ及び携帯用コンピュータのような他の装置に接続可能な能力を提供する。Ｉ／Ｏインターフェース３４５は、これらアクセサリーとメイン制御器３４０との間の通信経路である。
【００３３】
また、メインプロセッサ３４０は、キーパッド３５０及び表示装置３５５に結合される。加入者局１１６の運営者は、加入者局１１６にデータを入力するためにキーパッド３５０を使用する。表示装置３５５は、ウェブサイトからテキスト及び／または最小制限グラフィックをレンダリングすることができる液晶表示装置であり得る。他の実施形態は、他のタイプの表示装置を使用することができる。
【００３４】
本発明の実施形態は、次世代無線通信システムのためのチャンネル状態情報（ＣＳＩ）パイロット設計のための方法及び装置を提供する。ＲＥＦ４で、チャンネル状態情報基準信号（ＣＳＩ−ＲＳ）に対して次の設定が定義される。情報要素（ＩＥ）ＣＳＩ−ＲＳ設定（ＣＳＩ−ＲＳ−Ｃｏｎｆｉｇ）が本明細書に示したようなＣＳＩ−ＲＳ設定を指定するために使用される。
【００３５】
【表１】
2015518671.tif 000003
【００３６】
また、セクション６．１０．５．２−ＲＥＦ１のリソース要素に対するマッピングによれば、リソース要素に対するＣＳＩ−ＲＳマッピングは次の通り説明される−ＣＳＩ基準信号送信のために設定されたサブフレームで、基準信号シーケンス
【００３７】
【数１】
2015518671.tif 000004
【００３８】
は、数式（１）によってアンテナポートｐに対する参照シンボル（ｒｅｆｅｒｅｎｃｅ  ｓｙｍｂｏｌ）として使用される複素数変調シンボル
【００３９】
【数２】
2015518671.tif 000005
【００４０】
にマッピングされる。
【００４１】
【数３】
2015518671.tif 000006
【００４２】
【表２】
2015518671.tif 000007
【００４３】
セクション６．１０．５．３−ＣＳＩ基準信号サブフレーム設定によれば、ＣＳＩ基準信号の発生に対するセル特定サブフレーム設定期間ＴＣＳＩ−ＲＳ及びセル特定サブフレームオフセット
【００４４】
【数４】
2015518671.tif 000008
【００４５】
が表２に羅列される。パラメータＩＣＳＩ−ＲＳは、ＵＥ１１６が非ゼロ及びゼロ送信電力（ｔｒａｎｓｍｉｓｓｉｏｎ  ｐｏｗｅｒ）を仮定するＣＳＩ基準信号に対して別途に設定されることができる。ＣＳＩ基準信号を含むサブフレームは、数式（２）を満足しなければならない。
【００４６】
【数５】
2015518671.tif 000009
【００４７】
【表３】
2015518671.tif 000010
【００４８】
ＲＥＦ１で、ＣＳＩ−ＲＳシーケンス生成は、次のセクション６．１０．５．１−シーケンス生成でのように説明される。基準信号シーケンス
【００４９】
【数６】
2015518671.tif 000011
【００５０】
は、数式（３）により定義される。
【００５１】
【数７】
2015518671.tif 000012
【００５２】
ここで、
【００５３】
【数８】
2015518671.tif 000013
【００５４】
は、無線フレーム内のスロット個数であり、ｌはスロット内のＯＦＤＭシンボル個数である。類似ランダムシーケンス（ｐｓｅｕｄｏ−ｒａｎｄｏｍ  ｓｅｑｕｅｎｃｅ）ｃ（ｉ）は、セクション７．２で定義される。類似ランダムシーケンス生成器は、各ＯＦＤＭシンボルの開始で
【００５５】
【数９】
2015518671.tif 000014
【００５６】
に初期化される。
【００５７】
また、ＣｏＭＰに対するＣＳＩ−ＲＳ設定のために、複数の非ゼロ電力（ｎｏｎ−ｚｅｒｏ−ｐｏｗｅｒ）ＣＳＩ−ＲＳリソースの設定は、少なくとも次を含む。
【００５８】
−ａｎｔｅｎｎａＰｏｒｔｓＣｏｕｎｔ、ｒｅｓｏｕｒｃｅＣｏｎｆｉｇ
○ＣＳＩ−ＲＳリソース間で独立的に設定
−ｓｕｂｆｒａｍｅＣｏｎｆｉｇ
○ＣＳＩ−ＲＳリソース間で共通であるか独立的であるかはＦＦＳ
−類似ランダムシーケンス生成器初期化（ｃｉｎｉｔ）を誘導する設定可能なパラメータ
○ｃｉｎｉｔはＣＳＩ−ＲＳリソース間で独立的に設定され、
【００５９】
【数１０】
2015518671.tif 000015
【００６０】
○ここで、ＸはＵＥ特定方式で設定可能であり、０〜５０３範囲内の値を有することができ、
■Ｒｅｌ−１０公式が変更なしに使用されることができるか否かをＦＦＳ
■５０３以上がサポートされるか否かをＦＦＳ
■ＣＳＩ−ＲＳポートがＣＳＩ−ＲＳリソース内に常に同一なスクランブリング（ｓｃｒａｍｂｌｉｎｇ）を有するかまたは相異なるスクランブリングを有することができるか否かをＦＦＳ
−Ｐｃ
○シグナリングの細部事項は、ＦＦＳである。
【００６１】
追加的なパラメータが考慮され得る。
【００６２】
類似コロケーション（Ｑｕａｓｉ  Ｃｏ−ｌｏｃａｔｉｏｎ）：一つのアンテナポートに対するシンボルが伝えられるチャンネルの大規模特性を他のアンテナポートに対するシンボルが伝えられるチャンネルから推論できる場合、二つのアンテナポートを類似コロケーションという。大規模特性は、遅延拡散、ドップラー拡散、ドップラーシフト、平均利得（ａｖｅｒａｇｅ  ｇａｉｎ）、平均遅延のうち一つ以上を含む。
【００６３】
ＣＳＩプロセス：送信モード１０でＵＥ１１６は上位階層（ｈｉｇｈｅｒ  ｌａｙｅｒ）によりサービングセル（ｓｅｒｖｉｎｇ  ｃｅｌｌ）当たり一つ以上のＣＳＩプロセスで設定されることができる。各ＣＳＩプロセスは（セクション７．２．５．で定義される）ＣＳＩ−ＲＳリソース及び（セクション７．２．６で定義される）ＣＳＩ−干渉測定（ＣＳＩ−ＩＭ）リソースと関連がある。ＵＥ１１６により報告されたＣＳＩは、上位階層により設定されたＣＳＩプロセスに対応する。各ＣＳＩプロセスは、上位階層シグナリングによりＰＭＩ／ＲＩ報告（ＰＭＩ／ＲＩ  ｒｅｐｏｒｔｉｎｇ）にまたはＰＭＩ／ＲＩ報告無しで設定されることができる。
【００６４】
送信モード１０のＵＥ１１６に対して、ＵＥ１１６はＣＳＩプロセスと関連した設定されたＣＳＩ−ＩＭリソース内で（ＲＥＦ３で定義された）ゼロ電力ＣＳＩ−ＲＳのみに基づいて、ＣＳＩプロセスに対応し、アップリンクサブフレームｎで報告されたＣＱＩ値を計算するための干渉測定を誘導する。送信モード１０のＵＥ１１６がＣＳＩサブフレームセット、ＣＣＳＩ、０及びＣＣＳＩ、１に対して上位階層により設定されると、ＣＳＩ基準リソースに属するサブフレームサブセット内の設定されたＣＳＩ−ＩＭリソースが干渉測定を誘導するために使用される。
【００６５】
ＣＳＩ−Ｐｒｏｃｅｓｓ：ＩＥ  ＣＳＩ−Ｐｒｏｃｅｓｓは、Ｅ−ＵＴＲＡＮがサービング周波数に設定することができるＣＳＩプロセス設定である。
【００６６】
【表４】
2015518671.tif 000016
【００６７】
【表５】
2015518671.tif 000017
【００６８】
ＣＳＩ−ＰｒｏｃｅｓｓＩｄｅｎｔｉｔｙ：ＩＥ  ＣＳＩ−ＰｒｏｃｅｓｓＩｄｅｎｔｉｔｙは、ＩＥ  ＣＳＩ−Ｐｒｏｃｅｓｓにより設定されるＣＳＩプロセスを識別するために使用される。上記識別は搬送波周波数（ｃａｒｒｉｅｒ  ｆｒｅｑｕｅｎｃｙ）の範囲内で固有である。
【００６９】
【表６】
2015518671.tif 000018
【００７０】
ＣＳＩ−ＲＳ−ＣｏｎｆｉｇＮＺＰ：ＩＥ  ＣＳＩ−ＲＳ−ＣｏｎｆｉｇＮＺＰは、Ｅ−ＵＴＲＡＮがサービング周波数に設定することができる非ゼロ電力送信を使用するＣＳＩ−ＲＳリソース設定である。
【００７１】
【表７】
2015518671.tif 000019
【００７２】
ＣＳＩ−ＲＳ−ＣｏｎｆｉｇＺＰ：ＩＥ  ＣＳＩ−ＲＳ−ＣｏｎｆｉｇＺＰは、ＵＥ１１６がゼロ電力送信を仮定する、Ｅ−ＵＴＲＡＮがサービング周波数に設定できるＣＳＩ−ＲＳリソース設定である。
【００７３】
【表８】
2015518671.tif 000020
【００７４】
ＣＳＩ−ＲＳ−ＩｄｅｎｔｉｔｙＮＺＰ：ＩＥ  ＣＳＩ−ＲＳ−ＩｄｅｎｔｉｔｙＮＺＰは、ＩＥ  ＣＳＩ−ＲＳ−ＣｏｎｆｉｇＮＺＰにより設定されたような、非ゼロ送信電力を使用するＣＳＩ−ＲＳリソース設定を識別するために使用される。上記識別は、搬送波周波数の範囲内で固有である。
【００７５】
【表９】
2015518671.tif 000021
【００７６】
ＣＳＩ−ＲＳ−ＩｄｅｎｔｉｔｙＺＰ：ＩＥ  ＣＳＩ−ＲＳ−ＩｄｅｎｔｉｔｙＺＰは、ＩＥ  ＣＳＩ−ＲＳ−ＣｏｎｆｉｇＺＰにより設定されたような、ＵＥがゼロ送信電力を仮定するＣＳＩ−ＲＳリソース設定を識別するために使用される。上記識別は搬送波周波数の範囲内で固有である。
【００７７】
【表１０】
2015518671.tif 000022
【００７８】
ＣＳＩ−ＩＭ−ＣＯＮＦＩＧ：ＩＥ  ＣＳＩ−ＩＭ−Ｃｏｎｆｉｇは、Ｅ−ＵＴＲＡＮがサービング周波数に設定することができるＣＳＩ−ＩＭ設定である。
【００７９】
【表１１】
2015518671.tif 000023
【００８０】
ＣＳＩ−ＩＭ−Ｉｄｅｎｔｉｔｙ：ＩＥ  ＣＳＩ−ＩＭ−Ｉｄｅｎｔｉｔｙは、ＩＥ  ＣＳＩ−ＩＭ−Ｃｏｎｆｉｇにより設定されるＣＳＩ−ＩＭ設定を識別するために使用される。上記識別は、搬送波周波数の範囲内で固有である。
【００８１】
【表１２】
2015518671.tif 000024
【００８２】
本発明の多様な実施形態は、図４で示された２次元（２Ｄ）アクティブアンテナアレイを備えた送信ポイントからのパイロット送信を考慮する。ここで、送信ポイント（ＴＰ）は、ダウンリンク信号を送信することができ、例えば、基地局、ノードＢ、進化したノードＢ（ｅＮＢ）、遠隔無線ヘッド（ＲＲＨ）などを含む、セルラーネットワークでアップリンク信号を受信することができるネットワークノードである。他の実施形態で、少なくとも一つのＴＰを制御するエンティティは、制御器、ネットワークまたはｅＮＢと呼ばれる。それぞれのアクティブアンテナアレイは、周波数選択方法でアンテナ重量を動的に制御できる別途のベースバンド（ｂａｓｅｂａｎｄ）を有することができる。
【００８３】
図４は、本発明の実施形態による２Ｄアクティブアンテナアレイを備えた送信ポイント（ｔｒａｎｓｍｉｓｓｉｏｎ  ｐｏｉｎｔ）を示す。図４に示された送信ポイント４００の実施形態は、説明のためのものであるにすぎない。本発明の範囲から逸脱することなく他の実施形態が使用され得る。
【００８４】
送信ポイント４００は、アンテナアレイ４０５及び制御器４１０を含む。アンテナアレイ４０５は、Ｎ（＝ＮＨｘＮｖ）個の２Ｄアクティブアンテナ要素４１５を含み、Ｎ個のアンテナ要素はＮＨｘＮｖ個の２Ｄグリッドに配置される。二つの最も近くのアンテナ要素間の水平空間はｄＨ（４２０）で表示され、二つの最も近くのアンテナ要素間の垂直空間はｄｖ（４２５）で表示される。
【００８５】
図５は、本発明の実施形態による２Ｄアクティブアンテナアレイから移動局への方位角（ａｚｉｍｕｔｈ  ａｎｇｌｅ）及び仰角（ｅｌｅｖａｔｉｏｎ  ａｎｇｌｅ）を示す。図５に示された２Ｄアクティブアンテナアレイ４０５の実施形態は、説明のためのものであるにすぎない。本発明の範囲から逸脱することなく他の実施形態が使用され得る。
【００８６】
２Ｄアンテナアレイが備わった送信ポイント４００とＵＥ１１６間の送信ベクトル（ｔｒａｎｓｍｉｓｓｉｏｎ  ｖｅｃｔｏｒ）が方位角及び仰角で送信される。図５に示された例示配置で、アンテナ要素４１５は、直交ＸＹＺ座標システムのＸＺ平面上の矩形に配置される。座標システムの原点（５０５）は、矩形の中心に配置される。ＵＥ１１６に対する
【００８７】
【数１１】
2015518671.tif 000025
【００８８】
は、ＸＹ平面に対するＴＰとＵＥ１１６との間の直線の射影ベクトル（５２０）とＹ軸（５１５）との間の角として定義される。あるいは、
【００８９】
【数１２】
2015518671.tif 000026
【００９０】
は、ＹＺ平面に対する直線の射影ベクトルとＹ軸との間の角として定義される。
【００９１】
セルラーネットワークで、ネットワークはそれぞれの個別ＵＥに対するプリレコーダー及び変調及びコーディング方式（ＭＣＳ）を選択するために、時間−周波数リソースを予約（ｓｃｈｅｄｕｌｅ）するＵＥのチャンネル状態情報（ＣＳＩ）を利用する。ＵＥのＣＳＩ推定を容易にするために、ネットワークはＣＳＩ基準信号（ＣＳＩ−ＲＳ）を設定して送信できる。同時に、それぞれのＵＥは、ＣＳＩ−ＲＳを受信して処理することによって、推定されたプリコーディング行列情報（ＰＭＩ）、チャンネル品質情報（ＣＱＩ）及び順位情報（ＲＩ）をフィードバックするように設定されることができる。伝統的に、ＵＥのＣＳＩフィードバックは、主に方位角と関連した水平ＣＳＩを対象として設計される。例えば、ＬＴＥでダウンリンクビーム形成に対するＰＭＩ／ＣＱＩフィードバックは、ＵＥが最も強い信号を受信する水平方向（または方位各）及び関連チャンネル強度をｅＮＢに通知する。アクティブアンテナアレイ要素が垂直ドメインにも導入される時、垂直ＣＳＩフィードバックの必要性が浮び上がる。垂直ＣＳＩフィードバックを容易にするために、該当ＣＳＩ−ＲＳ設計は、とても重要である。
【００９２】
本発明の実施形態は、２Ｄアクティブアンテナアレイを備えたＴＰを含む無線通信ネットワーク（例えば、セルラーネットワーク）で使用されるＣＳＩ−ＲＳ設計及び関連設定方法を示す。別に明示されない限り、本明細書に開示されたＣＳＩ−ＲＳはＮＺＰ  ＣＳＩ−ＲＳを意味することに留意すべきである。
【００９３】
以下で、ＴＭ  Ｘとして参照表示される新たな送信モード（ＴＭ）は、２Ｄアクティブアンテナアレイ４０５からのＵＥの受信をサポートするために定義される。ＵＥ１１６がＴＭ  Ｘで設定される場合、ＵＥ１１６は、２Ｄアクティブアンテナアレイ４０５からＰＤＳＣＨを受信し、新しく設計されたＣＳＩ−ＲＳで設定される。２Ｄアクティブアンテナアレイ４０５からのＭＩＭＯ送信も全体次元ＭＩＭＯまたはＦＤ−ＭＩＭＯとして参照表示される。
【００９４】
一つの方法（方法１）で、ＴＰ４００は、Ｎ個のアンテナ要素４１５の各々と関連したＮ個のＣＳＩ−ＲＳアンテナポート（ＡＰ）の全部を送信することができ、ネットワークは、ＵＥ特定ＲＲＣ設定またはブロードキャストシグナリングを使用してそれぞれのＵＥに対してＮ個のＣＳＩ−ＲＳ  ＡＰの全部を設定することができるために、ＵＥ１１６は、Ｎ個のアンテナ要素４１５と関連した全体ＣＳＩを推定することができる。
【００９５】
他の方法（方法２）で、ＴＰ４００は、少なくとも２セットのＣＳＩ−ＲＳ  ＡＰを送信することができ、ネットワークはそれぞれのＵＥに対して少なくとも２セットのＣＳＩ−ＲＳ  ＡＰを設定することができ、ＵＥ１１６は、少なくとも２セットのＣＳＩ−ＲＳを受信し処理して推定された水平ＣＳＩ（Ｈ−ＣＳＩ）及び垂直ＣＳＩ（Ｖ−ＣＳＩ）を導出してフィードバックする。ここで、ＣＳＩ−ＲＳ  ＡＰの総個数は、Ｎ未満であり得、したがって、ＣＳＩ−ＲＳ送信オーバーヘッドは方法１に比べて減少される。
【００９６】
水平ＣＳＩ及び垂直ＣＳＩに対して：ＵＥのＨ−ＣＳＩは、ＵＥ１１６で推定された水平ＣＳＩであり、ＴＰ４００に水平配置されたアンテナ要素４１５と主に関連するチャンネル特性である。水平ＣＳＩは、水平ＣＱＩ（Ｈ−ＣＱＩ）、水平ＰＭＩ（Ｈ−ＰＭＩ）及び水平ＲＩ（Ｈ−ＲＩ）を含む。例えば、特定ＬＴＥシステムのＣＳＩフィードバックコンテンツ及びメカニズムは、水平アンテナアレイを考慮して設計されるために、Ｈ−ＣＳＩは他のＬＴＥシステムのＣＳＩ（ＰＭＩ、ＣＱＩ及びＲＩ）と同一であり得る。
【００９７】
ＵＥのＶ−ＣＳＩは、ＵＥ１１６で推定された垂直ＣＳＩであり、ＴＰ４００に垂直配置されたアンテナ要素と主に関連するチャンネル特性である。垂直ＣＳＩは垂直ＣＱＩ（Ｖ−ＣＱＩ）、垂直ＰＭＩ（Ｖ−ＰＭＩ）及び垂直ＲＩ（Ｖ−ＲＩ）を含む。
【００９８】
図６は、本発明の実施形態によるＨ−ＰＭＩ及びＶ−ＰＭＩを示す。図６に示されたＨ−ＰＭＩ及びＶ−ＰＭＩ（６００）の実施形態は、説明のためのものであるにすぎない。本発明の範囲から逸脱することなく他の実施形態が使用され得る。
【００９９】
特定の実施形態で、（Ｈ−ＰＭＩ、Ｖ−ＰＭＩ）ペアが、それらそれぞれの水平方向（または方位角）及び垂直方向（または仰角）によって、各々（Ｐ１、Ｑ１）、（Ｐ２、Ｑ２）及び（Ｐ３、Ｑ３）である時、ＵＥ１  １１６、ＵＥ２  １１５及びＵＥ３  １１４は最も強い信号を受信する。Ｈ−ＰＭＩをフィードバックするように設定される時、ＵＥ１  １１６、ＵＥ２  １１５及びＵＥ３  １１４は、Ｈ−ＰＭＩ  ＰＩ  ６０５、Ｐ２  ６１０及びＰ３  ６１５の各々を報告する。Ｖ−ＰＭＩをフィードバックするように設定される時、ＵＥ１  １１６、ＵＥ２  １１５及びＵＥ３  １１４は、Ｖ−ＰＭＩ  Ｑ１  ６２０、Ｑ２  ６２５及びＱ３  ６３０の各々を報告する。
【０１００】
ＣＱＩに関しては、二つのフィードバック方法、すなわち１）Ｈ−ＣＱＩ及びＶ−ＣＱＩが別途に導出され、独立的にネットワークにフィードバックされる方法、及び２）一つのジョイントＣＱＩが導出され、Ｎ個のアンテナチャンネルに対してネットワークにフィードバックされる方法が考慮され得る。一つの設計で、ＵＥ１１６は、Ｈ−ＰＭＩ及びＶ−ＰＭＩを使用してＮ−Ｔｘアンテナチャンネルに対して所望のプリコーディング行列を構成し、ＴＰがプリコーディング行列を使用して信号を送信するという仮定下で受信された電力を計算する。受信された電力から、ＵＥ１１６はＣＱＩを導出し、ここでＣＱＩは所望のＭＣＳであり得る。一例で、所望のプリコーディング行列は、
【０１０１】
【数１３】
2015518671.tif 000027
【０１０２】
のクロネッカーの積（Ｋｒｏｎｅｃｋｅｒ  ｐｒｏｄｕｃｔ）を遂行することによって求められる。この場合、ＮＨ＝２、Ｎｖ＝２、Ｈ−ＲＩ＝１及びＶ−ＲＩ＝１である時、クロネッカーの積は、式（５）及び式（６）でのように計算される。
【０１０３】
【数１４】
2015518671.tif 000028
【０１０４】
ジョイントＲＩは、ＵＥでの受信アンテナの個数とＮ−Ｔｘアンテナ間のＭＩＭＯチャンネルらに対する順位情報である。
【０１０５】
説明の便宜のために、図６に示された例は可視チャンネル（ｌｉｎｅ−ｏｆ−ｓｉｇｈｔ  ｃｈａｎｎｅｌ）のみを示す。しかし、非可視チャンネルであるＶ−ＣＳＩ及びＨ−ＣＳＩは類似の方法で説明及び定義され得る。図６に示された例は、説明のためのものであるにすぎなく、Ｖ−ＣＳＩ及びＨ−ＣＳＩの他の類似の構成及び定義を制限することではない。
【０１０６】
図７は、本発明の実施形態による第１及び第２のＣＳＩ−ＲＳ  ＡＰを示す。図７に示された第１及び第２のＣＳＩ−ＲＳ  ＡＰを含む送信器チェーン７００の実施形態は、説明のためのものであるにすぎない。本発明の範囲から逸脱することなく他の実施形態が使用され得る。
【０１０７】
送信器チェーン７００は、ＣＳＩ−ＲＳの少なくとも２セットに対して（Ａ−ＣＳＩ−ＲＳ  ＡＰで表示された）ＣＳＩ−ＲＳの第１のセット７０５及び（Ｂ−ＣＳＩ−ＲＳ  ＡＰで表示された）ＣＳＩ−ＲＳの第２のセット７１０をマルチプレキシングするために設定される。ここで、Ａ−ＣＳＩ−ＲＳ  ＡＰ７０５及びＢ−ＣＳＩ−ＲＳ  ＡＰ７１０に対するマルチプレクサ作業７１５は、時間領域マルチプレキシング（ＴＤＭ）、ＣＤＭ（コード領域マルチプレキシング）、ＦＤＭ（周波数−領域マルチプレキシング）及びＳＤＭ（空間領域マルチプレキシング）、及びＴＤＭ、ＦＤＭ、ＣＤＭ及びＳＤＭの組合であり得る。ＴＤＭマルチプレキシングが適用される場合、Ａ−ＣＳＩ−ＲＳ  ＡＰ７０５及びＢ−ＣＳＩ−ＲＳ  ＡＰ７１０は、二つの相異なる時間位置、例えば二つの相異なる時間スロット、二つの相異なるサブフレーム、またはＯＦＤＭシンボルの二つの相異なるセットで、それぞれのＣＳＩ−ＲＳを送信する。ＦＤＭマルチプレキシングが適用される場合、Ａ−ＣＳＩ−ＲＳ  ＡＰ７０５及びＢ−ＣＳＩ−ＲＳ  ＡＰ７１０は、二つの相異なる周波数（またはサブキャリア）位置で、それらのＣＳＩ−ＲＳを送信する。ＣＤＭマルチプレキシングが適用される場合、Ａ−ＣＳＩ−ＲＳ  ＡＰ７０５及びＢ−ＣＳＩ−ＲＳ  ＡＰ７１０は、同一の時間−周波数位置で二つの相異なる直交コード（例えば、ウォルシュ（Ｗａｌｓｈ）コード、ＣＡＺＡＣコード）を使用してそれぞれのＣＳＩ−ＲＳを送信する。ＳＤＭが適用される場合、Ａ−ＣＳＩ−ＲＳ  ＡＰ７０５及びＢ−ＣＳＩ−ＲＳ  ＡＰ７１０は、二つの相異なる空間ビーム（ｓｐａｔｉａｌ  ｂｅａｍ）でそれれのＣＳＩ−ＲＳを送信し、これらは二つの相異なるスクランブリング初期化を使用して相異なるようにスクランブリングされることができる。ＴＤＭ、ＣＤＭ、ＦＤＭ及びＳＤＭのいくつの例示組合を後述する。ＦＤＭ／ＴＤＭマルチプレキシングが適用される場合、Ａ−ＣＳＩ−ＲＳ  ＡＰ７０５及びＢ−ＣＳＩ−ＲＳ  ＡＰ７１０は、二つの相異なる時間−周波数位置でそれらのＣＳＩ−ＲＳを送信する。第１のアンテナポートに対するシンボルが伝えられるチャンネルの大規模電波特性が他のアンテナポートに対する他のシンボルが伝えられるチャンネルから推論できると、２セットのＣＳＩ−ＲＳ  ＡＰは（類似）コ
ロケーションされる。
【０１０８】
特定の実施形態で、２セットのＣＳＩ−ＲＳを利用してＮ＝ＮＨｘＮｖ個のアンテナチャンネルに対するジョイントＣＱＩ、ジョイントＰＭＩ及びジョイントＲＩのうち少なくとも一つを導出するために、ＵＥ１１６は２セットのＣＳＩ−ＲＳ  ＡＰが（類似）コロケーションされると仮定することができる。特定の実施形態で、ジョイントＣＱＩ、ジョイントＰＭＩ及びジョイントＲＩを導出するために、ネットワークはＵＥ１１６が２セットのＣＳＩ−ＲＳ  ＡＰが（類似）コロケーションされると仮定することができるか否かを表示することができる。
【０１０９】
特定の実施形態で、（Ａ−ＣＳＩ−ＲＳ、Ｂ−ＣＳＩ−ＲＳ）は、以後の実施形態に示されたように（Ｈ−ＣＳＩ−ＲＳ、Ｖ−ＣＳＩ−ＲＳ）、（第１のＨ−ＣＳＩ−ＲＳ、第２のＨ−ＣＳＩ−ＲＳ）、（一次ＣＳＩ−ＲＳ、二次ＣＳＩ−ＲＳ）であり得る。
【０１１０】
特定の実施形態で、Ｒｅｌ−１０  ＬＴＥまたはＲｅｌ−１１  ＬＴＥで定義されたＣＳＩ−ＲＳ設定がＡ−ＣＳＩ−ＲＳ及びＢ−ＣＳＩ−ＲＳの各々を設定するために再使用される。Ｒｅｌ−１０  ＬＴＥ  ＣＳＩ−ＲＳ設定が使用される場合、表３で次のようなパラメータのうち一部がＡ−ＣＳＩ−ＲＳ及びＢ−ＣＳＩ−ＲＳ各々に対して別途に設定される。
【０１１１】
【表１３】
2015518671.tif 000029
【０１１２】
Ｒｅｌ−１１  ＬＴＥ  ＮＺＰ  ＣＳＩ−ＲＳ設定が使用される場合、ＣＳＩ−ＲＳ−ＣｏｎｆｉｇＮＺＰ−ｒ１１（そのフィールドは、以下及び背景セクションでコピー）を定義するパラメータのうち一部は、Ａ−ＣＳＩ−ＲＳ及びＢ−ＣＳＩ−ＲＳ各々に対して別途に設定される。
【０１１３】
【表１４】
2015518671.tif 000030
【０１１４】
Ａ−ＣＳＩ−ＲＳ及びＢ−ＣＳＩ−ＲＳに対するリソース設定（ｒｅｓｏｕｒｃｅＣｏｎｆｉｇ）及びＡｎｔｅｎｎａＰｏｒｔｓＣｏｕｎｔは、独立的にまたは共同に設定されることができる。
【０１１５】
独立設定の一例で、（Ａ−ｒｅｓｏｕｒｃｅＣｏｎｆｉｇ、Ａ−ＡｎｔｅｎｎａＰｏｒｔｓＣｏｕｎｔ）及び｛Ｂ−ｒｅｓｏｕｒｃｅＣｏｎｆｉｇ、Ｂ−ＡｎｔｅｎｎａＰｏｒｔＣｏｕｎｔ）がＡ−ＣＳＩ−ＲＳ及びＢ−ＣＳＩ−ＲＳのために設定される。これらがＵＥに設定される場合、ＵＥ１１６は表１によって（Ａ−ｒｅｓｏｕｒｃｅＣｏｎｆｉｇ、Ａ−ＡｎｔｅｎｎａＰｏｒｔｓＣｏｕｎｔ）及び（Ｂ−ｒｅｓｏｕｒｃｅＣｏｎｆｉｇ、Ｂ−ＡｎｔｅｎｎａＰｏｒｔＣｏｕｎｔ）の各々に（ｒｅｓｏｕｒｃｅＣｏｎｆｉｇ、ＡｎｔｅｎｎａＰｏｒｔＣｏｕｎｔ）を交替してＡ−ＣＳＩ−ＲＳパターン及びＢ−ＣＳＩ−ＲＳパターンの各々を導出する。
【０１１６】
ジョイント設定の一例で、（ｒｅｓｏｕｒｃｅＣｏｎｆｉｇ、ＡｎｔｅｎｎａＰｏｒｔＣｏｕｎｔ）は、Ａ−ＣＳＩ−ＲＳ及びＢ−ＣＳＩ−ＲＳの両方のために設定される。（ｒｅｓｏｕｒｃｅＣｏｎｆｉｇ、ＡｎｔｅｎｎａＰｏｒｔＣｏｕｎｔ）がＵＥ１１６に設定される場合、ＵＥ１１６はまず設定された（ｒｅｓｏｕｒｃｅＣｏｎｆｉｇ、ＡｎｔｅｎｎａＰｏｒｔＣｏｕｎｔ）で表１によってＣＳＩ−ＲＳパターンを導出する。以後、Ｎ１  Ａ−ＣＳＩ−ＲＳ  ＡＰｓ及びＮ２  Ｂ−ＣＳＩ−ＲＳ  ＡＰに対する時間周波数位置が予め定義された方式によって決定され、ここで、ＡｎｔｅｎｎａＰｏｒｔＣｏｕｎｔ＝Ｎ１＋Ｎ２である。Ｎ１及びＮ２はＲＲＣ設定されるか標準規格での定数（ｃｏｎｓｔａｎｔ）であり得るということに留意すべきである。ジョイント設定のいくつの例を図８及び以下で説明する。
【０１１７】
第１の例（例１）で、ＡｎｔｅｎｎａＰｏｒｔＣｏｕｎｔ＝８、Ｎ１＝４及びＮ２＝４であれば、ＡＰ（１５乃至１８）はＡ−ＣＳＩ−ＲＳに割り当てられ、ＡＰ（１９乃至２２）はＢ−ＣＳＩ−ＲＳに割り当てられる。すなわち、Ａ−ＣＳＩ−ＲＳ及びＢ−ＣＳＩ−ＲＳは、ＦＤＭマルチプレキシングされ、Ａ−ＣＳＩ−ＲＳ及びＢ−ＣＳＩ−ＲＳの各々で複数のＣＳＩ−ＲＳポートがＣＤＭマルチプレキシングされる。
【０１１８】
第２の例（例２）で、ＡｎｔｅｎｎａＰｏｒｔＣｏｕｎｔ＝８、Ｎ１＝４及びＮ２＝４であれば、ＡＰ（１５、１７、１９及び２１）はＡ−ＣＳＩ−ＲＳに割り当てられ、ＡＰ（１６、１８、２０及び２２）はＢ−ＣＳＩ−ＲＳに割り当てられる。すなわち、８個のＣＳＩ−ＲＳが二つのＲＥの４ＣＤＭグループの各々でマルチプレキシングされ、第１のＣＤＭコード、例えば［＋１、＋１］はＡ−ＣＳＩ−ＲＳに割り当てられ、第２のＣＤＭコード、例えば［＋１、−１］はＢ−ＣＳＩ−ＲＳに割り当てられる。
【０１１９】
Ａ−ＣＳＩ−ＲＳ及びＢ−ＣＳＩ−ＲＳに対するリソース設定（ｒｅｓｏｕｒｃｅＣｏｎｆｉｇ）及びＡｎｔｅｎｎａＰｏｒｔｓＣｏｕｎｔは独立的にまたは共同に設定されることができる。
【０１２０】
独立設定の一例で、（Ａ−ｒｅｓｏｕｒｃｅＣｏｎｆｉｇ、Ａ−ＡｎｔｅｎｎａＰｏｒｔｓＣｏｕｎｔ）及び（Ｂ−ｒｅｓｏｕｒｃｅＣｏｎｆｉｇ、Ｂ−ＡｎｔｅｎｎａＰｏｒｔＣｏｕｎｔ）は、Ａ−ＣＳＩ−ＲＳ及びＢ−ＣＳＩ−ＲＳのために設定される。これらがＵＥ１１６に設定される場合、ＵＥ１１６は表１によって（Ａ−ｒｅｓｏｕｒｃｅＣｏｎｆｉｇ、Ａ−ＡｎｔｅｎｎａＰｏｒｔＣｏｕｎｔ）及び（Ｂ−ｒｅｓｏｕｒｃｅＣｏｎｆｉｇ、Ｂ−ＡｎｔｅｎｎａＰｏｒｔＣｏｕｎｔ）の各々に（ｒｅｓｏｕｒｃｅＣｏｎｆｉｇ、ＡｎｔｅｎｎａＰｏｒｔＣｏｕｎｔ）を交替してＡ−ＣＳＩ−ＲＳパターン及びＢ−ＣＳＩ−ＲＳパターンの各々を導出する。
【０１２１】
ジョイント設定の一例で、（ｒｅｓｏｕｒｃｅＣｏｎｆｉｇ、ＡｎｔｅｎｎａＰｏｒｔＣｏｕｎｔ）は、Ａ−ＣＳＩ−ＲＳ及びＢ−ＣＳＩ−ＲＳの両方のために設定される。（ｒｅｓｏｕｒｃｅＣｏｎｆｉｇ、ＡｎｔｅｎｎａＰｏｒｔＣｏｕｎｔ）がＵＥ１１６に設定される場合、ＵＥ１１６はまず設定された（ｒｅｓｏｕｒｃｅＣｏｎｆｉｇ、ＡｎｔｅｎｎａＰｏｒｔＣｏｕｎｔ）で表１によってＣＳＩ−ＲＳパターンを導出する。以後、Ｎ１  Ａ−ＣＳＩ−ＲＳ  ＡＰ及びＮ２  Ｂ−ＣＳＩ−ＲＳ  ＡＰに対する時間周波数位置が予め定義された方式によって決定され、ここで、ＡｎｔｅｎｎａＰｏｒｔＣｏｕｎｔ＝Ｎ１＋Ｎ２である。Ｎ１及びＮ２は、ＲＲＣ設定されるか、標準規格での定数であり得るということに留意すべきである。ジョイント設定のいくつの例を図８及び以下で説明する。
【０１２２】
第１の例（例１）で、ＡｎｔｅｎｎａＰｏｒｔＣｏｕｎｔ＝８、Ｎ１＝４及びＮ２＝４であれば、ＡＰ（１５乃至１８）はＡ−ＣＳＩ−ＲＳに割り当てられ、ＡＰ（１９乃至２２）はＢ−ＣＳＩ−ＲＳに割り当てられる。すなわち、Ａ−ＣＳＩ−ＲＳ及びＢ−ＣＳＩ−ＲＳはＦＤＭマルチプレキシングされ、Ａ−ＣＳＩ−ＲＳ及びＢ−ＣＳＩ−ＲＳの各々で複数のＣＳＩ−ＲＳポートがＣＤＭマルチプレキシングされる。
【０１２３】
第２の例（例２）で、ＡｎｔｅｎｎａＰｏｒｔＣｏｕｎｔ＝８、Ｎ１＝４及びＮ２＝４であれば、ＡＰ（１５、１７、１９及び２１）はＡ−ＣＳＩ−ＲＳに割り当てられ、ＡＰ（１６、１８、２０及び２２）はＢ−ＣＳＩ−ＲＳに割り当てられる。すなわち、８個のＣＳＩ−ＲＳが二つのＲＥの４ＣＤＭグループの各々でマルチプレキシングされ、第１のＣＤＭコード、例えば［＋１、＋１］はＡ−ＣＳＩ−ＲＳに割り当てられ、第２のＣＤＭコード、例えば［＋１、−１］はＢ−ＣＳＩ−ＲＳに割り当てられる。
【０１２４】
図８Ａ乃至図８Ｃは、本発明の実施形態によるＡ−ＣＳＩ−ＲＳ及びＢ−ＣＳＩ−ＲＳのジョイント設定を示す。図８Ａ乃至図８Ｃに示されたジョイント設定（８００、８１０及び８２０）の実施形態は、説明のためのものであるにすぎない。本発明の範囲から逸脱することなく他の実施形態が使用され得る。
【０１２５】
特定の実施形態で、共通（ｃｏｍｍｏｎ）ＡｎｔｅｎｎａＰｏｒｔＣｏｕｎｔは、Ａ−ＣＳＩ−ＲＳとＢ−ＣＳＩ−ＲＳの両方のために設定され、同時にＡ−ｒｅｓｏｕｒｃｅＣｏｎｆｉｇ及びＢ−ｒｅｓｏｕｒｃｅＣｏｎｆｉｇがＵＥ１１６のために別途に設定される。この場合、ＵＥ１１６は（Ａ−ｒｅｓｏｕｒｃｅＣｏｎｆｉｇ、ＡｎｔｅｎｎａＰｏｒｔＣｏｕｎｔ）及び（Ｂ−ｒｅｓｏｕｒｃｅＣｏｎｆｉｇ、ＡｎｔｅｎｎａＰｏｒｔＣｏｕｎｔ）でＡ−ＣＳＩ−ＲＳパターン及びＢ−ＣＳＩ−ＲＳパターンを各々導出する。
【０１２６】
また、ＴＰ４００でアンテナポートの総個数ＮはＡ−ＡｎｔｅｎｎａＰｏｒｔＣｏｕｎｔ及びＢ−ＡｎｔｅｎｎａＰｏｒｔＣｏｕｎｔから追加的にシグナルされることができる。
【０１２７】
Ａ−ＣＳＩ−ＲＳ及びＢ−ＣＳＩ−ＲＳに対するサブフレーム設定（ｓｕｂｆｒａｍｅＣｏｎｆｉｇ）が独立的にまたは共同に設定されることができる。
【０１２８】
独立設定の一例で、Ａ−ＣＳＩ−ＲＳ及びＢ−ＣＳＩ−ＲＳの各々に対して、発生に対するサブフレームである期間及びサブフレームオフセットは、Ｒｅｌ−１０  ＣＳＩ−ＲＳが設定される方式と同じ方式で設定される。この場合、ＵＥ１１６に二つのパラメータ、すなわちＡ−ＣＳＩ−ＲＳ−ＳｕｂｆｒａｍｅＣｏｎｆｉｇ及びＢ−ＣＳＩ−ＲＳ−ＳｕｂｆｒａｍｅＣｏｎｆｉｇが設定され、Ａ−ＣＳＩ−ＲＳ−ＳｕｂｆｒａｍｅＣｏｎｆｉｇ及びＢ−ＣＳｌ−ＲＳ−ＳｕｂｆｒａｍｅＣｏｎｆｉｇの各々にＣＳｌ−ＲＳ−ＳｕｂｆｒａｍｅＣｏｎｆｉｇを交替して、ＵＥ１１６は表２によってＢ−ＣＳＩ−ＲＳ及びＡ−ＣＳＩ−ＲＳそれぞれの発生に対するサブフレーム期間及びサブフレームオフセットを導出する。  
【０１２９】
ジョイント設定の一例で、Ａ−ＣＳＩ−ＲＳ及びＢ−ＣＳＩ−ＲＳの両方に対して、発生に対するサブフレーム期間及びサブフレームオフセットは、Ｒｅｌ−１０  ＣＳＩ−ＲＳが設定される方式と同じ方式で設定される。この場合、ＵＥ１１６に一つのパラメータ、すなわちＣＳＩ−ＲＳ−ＳｕｂｆｒａｍｅＣｏｎｆｉｇが設定され、ＵＥ１１６は設定されたＣＳｌ−ＲＳ−ＳｕｂｆｒａｍｅＣｏｎｆｉｇで表２によってＢ−ＣＳＩ−ＲＳ及びＡ−ＣＳＩ−ＲＳ両方の発生に対するサブフレーム期間及びサブフレームオフセットを導出する。
【０１３０】
以後の実施形態に示されたように、（Ａ−ＣＳＩ−ＲＳ、Ｂ−ＣＳＩ−ＲＳ）は、（Ｈ−ＣＳＩ−ＲＳ、Ｖ−ＣＳＩ−ＲＳ）、（第１のＨ−ＣＳＩ−ＲＳ、第２のＨ−ＣＳＩ−ＲＳ）、（一次ＣＳＩ−ＲＳ、二次ＣＳＩ−ＲＳ）であり得るということに留意すべきである。
【０１３１】
ＴＭ  Ｘとして設定されたＵＥ１１６に対するＣＳＩ−ＲＳ送信及びＣＳＩフィードバックの設定のために、以下でＣＳＩ−Ｐｒｏｃｅｓｓ−ｒ１２で参照表示される新たなＣＳＩプロセスが定義される。ジョイントＣＱＩ送信を容易にするために、新たなＣＳＩプロセスは一つのＣＳＩ−ＲＳ及び一つのＣＳＩ−ＩＭでなく、二つのＣＳＩリソース、すなわちＡ−ＣＳＩ−ＲＳ及びＢ−ＣＳＩ−ＲＳと関連がある。
【０１３２】
ＣＳＩ−Ｐｒｏｃｅｓｓ−ｒ１２の一つの説明例の構成を以下で説明し、ここで、共通Ｐｃ（ｐ−Ｃ−ＡｎｄＡｎｔｅｎｎａＩｎｆｏＤｅｄＬｉｓｔ−ｒｌ２）は、Ａ−ＣＳＩ−ＲＳ及びＢ−ＣＳＩ−ＲＳのために設定される。
【０１３３】
【表１５】
2015518671.tif 000031
【０１３４】
特定の実施形態で、１セットのＣＳＩ−ＲＳを設定する場合、他のＣＳＩ−ＲＳ設定パラメータ、例えば、ＣＳＩ−ＲＳパターン、サブフレーム期間、サブフレームオフセット及び電力以外にＣＳＩ−ＲＳタイプがシグナリングされる。シグナリングは、ＵＥ特定またはセル特定であり得る。設定されたＣＳＩ−ＲＳタイプ情報によって、ＵＥ１１６は、設定されたＣＳＩ−ＲＳを使用して、例えば相異なるＰＭＩコードブックに基づいて、チャンネルを推定して相異なるようにＣＳＩを導出する。
【０１３５】
一例で、第１のＣＳＩ−ＲＳタイプは第１のＰＭＩコードブックと関連があり、第２のＣＳＩ−ＲＳタイプは第２のＰＭＩコードブックと関連がある。
【０１３６】
第１及び第２のＰＭＩコードブックは、各々水平ＰＭＩコードブック及び垂直ＰＭＩコードブックであり得る。ここで、水平ＰＭＩコードブックは、ＬＴＥ規格で定義されたＲｅｌ−８、及びＲｅｌ−１０ダウンリンク２−Ｔｘ、４−Ｔｘ及び８−ＴｘＰＭＩコードブックのうち一つと同一であり得、垂直ＰＭＩコードブックは、Ｒｅｌ−８、及びＲｅｌ−１０ダウンリンク２−Ｔｘ、４−Ｔｘ及び８−ＴｘＰＭＩコードブックと相異なるように設計されることができる。
【０１３７】
第１及び第２のＰＭＩコードブックは、相異なるサイズを有することができる。すなわち、第１及び第２のＰＭＩコードブックは、ＰＭＩ行列の個数Ｍ１及びＰＭＩ行列の個数Ｍ２で各々設定され、Ｍ１及びＭ２は相異であり得る。
【０１３８】
一例で、第１のＰＭＩコードブックは、Ｍ１＝１６行列で設定された４ビットコードブックであり、第２のＰＭＩコードブックは、Ｍ２＝４行列で設定された２ビットコードブックである。
【０１３９】
特定の実施形態で、ＵＥ１１６は、第１のＣＳＩ−ＲＳタイプのＳＩ−ＲＳの第１のセット及び第２のＣＳＩ−ＲＳタイプのＳＩ−ＲＳの第２のセットで設定される。ＵＥ１１６は、ＣＳＩ−ＲＳの第１のセットを使用してチャンネルを推定して第１のＰＭＩコードブックによる第１のＰＭＩを導出する。また、ＵＥ１１６はＣＳＩ−ＲＳの第２のセットを使用してチャンネルを推定して第２のＰＭＩコードブックによる第２のＰＭＩを導出する。
【０１４０】
第１のＰＭＩ及び第２のＰＭＩのフィードバック報告は、共同にまたは独立的に設定される。
【０１４１】
フィードバック報告が独立（または個別）に設定される場合、第１のＰＭＩ及び第２のＰＭＩは、それぞれの設定によってｅＮＢ１０２に報告される。
【０１４２】
フィードバック報告が共同に設定される場合、第１のＰＭＩ及び第２のＰＭＩの両方は、サブフレーム、例えばＰＵＳＣＨまたはＰＵＣＣＨに送信される一つのアップリンク物理チャンネルに報告される。
【０１４３】
同様に、１セットのＣＳＩ−ＲＳを設定する場合、他のＣＳＩ−ＲＳ設定パラメータ以外にＰＭＩコードブック情報がシグナリングされる。設定されたＰＭＩコードブックによって、ＵＥ１１６は設定されたＣＳＩ−ＲＳを使用してチャンネルを推定してＰＭＩを導出する。例えば、ＵＥ１１６がＣＳＩ−ＲＳの第１のセット及び第１のＰＭＩコードブック、及びＣＳＩ−ＲＳの第２のセット及び第２のＰＭＩコードブックで設定される場合、ＵＥ１１６はまずＣＳＩ−ＲＳの第１のセットを使用してチャンネルを推定して第１のＰＭＩコードブックに従う第１のＰＭＩを導出する。また、ＵＥ１１６はＣＳＩ−ＲＳの第２のセットを使用してチャンネルを推定して第２のＰＭＩコードブックに従う第２のＰＭＩを誘導する。一例で、第１のＰＭＩコードブック及び第２のＰＭＩコードブックの各々は、水平ＰＭＩコードブック及び垂直ＰＭＩコードブックである。
【０１４４】
特定の実施形態で、ＣＳＩ−Ｐｒｏｃｅｓｓ−ｒ１２が上記のように新しく定義される場合、ＣＳＩ−ＲＳ設定はコードブックと絶対的に関連がある。一例で、Ａ−ＣＳＩ−ＲＳ（ａ−ｃｓｉ−ＲＳ−ＩｄｅｎｔｉｔｙＮＺＰ−ｒｌ２）で推定されたＰＭＩは第１のコードブックから選択され、Ｂ−ＣＳＩ−ＲＳ（ａ−ｃｓｉ−ＲＳ−ＩｄｅｎｔｉｔｙＮＺＰ−ｒｌ２）で推定されたＰＭＩは第２のコードブックから選択される。
【０１４５】
図９は、本発明の実施形態による垂直ＣＳＩ−ＲＳ  ＡＰ及び水平ＣＳＩ−ＲＳ  ＡＰを示す。図９に示された垂直ＣＳＩ−ＲＳ  ＡＰ及び水平ＣＳＩ−ＲＳ  ＡＰを含む送信器チェーン９００の実施形態は、説明のためのものであるにすぎない。本発明の範囲から逸脱することなく他の実施形態が使用され得る。
【０１４６】
垂直及び水平ＣＳＩ−ＲＳ  ＡＰの設定：
【０１４７】
特定の実施形態で、少なくとも２セットのＣＳＩ−ＲＳ  ＡＰのうち２セットのＣＳＩ−ＲＳ  ＡＰ（９０５及び９１０）、すなわちＮｖ個の垂直ＣＳＩ−ＲＳ（Ｖ−ＣＳＩ−ＲＳ）ＡＰでなされた１セット９０５及びＮＨ個の水平ＣＳＩ−ＲＳ（Ｈ−ＣＳＩ−ＲＳ）ＡＰでなされた他のセット９１０が別途に構成される。ここで、水平ＣＳＩ−ＲＳ  ＡＰ９１０は、ＵＥの水平ＣＳＩ（Ｈ−ＣＳＩ）に対して使用され、垂直ＣＳＩ−ＲＳ  ＡＰ９０５は、ＵＥの垂直ＣＳＩ（Ｖ−ＣＳＩ）に対して使用される。
【０１４８】
ＵＥ１１６がＮｖ個のＶ−ＣＳＩ−ＲＳ  ＡＰ９０５及びＮＨ個のＨ−ＣＳＩ−ＲＳ  ＡＰ９１０で設定される場合、ＵＥ１１６はＴＰ４００でのアンテナポートの総個数がＮ個のアンテナチャンネルに対するジョイントＣＱＩ及びジョイントＰＭＩのうち少なくとも一つを導出するためのＮ＝ＮＨｘＮｖ個であると仮定することができる。他の設計で、ＴＰでのアンテナポートの総個数はＵＥ１１６に別途にシグナリングされる。
【０１４９】
特定の実施形態で、Ｈ−ＣＳＩ−ＲＳはＨ−ＰＭＩコードブックと関連があり、Ｖ−ＣＳＩ−ＲＳはＶ−ＰＭＩコードブックと関連がある。特定の実施形態で、Ｈ−ＰＭＩコードブック及びＶ−ＣＳＩ−ＲＳコードブックは同一でありえる。
【０１５０】
あるいは、３ＧＰＰ  ＬＴＥＲｅｌ−８、及びＲｅｌ−１０２−Ｔｘ、４−Ｔｘ及び８−ＴｘＤＬコードブックはＨ−ＰＭＩ及びＶ−ＰＭＩの両方に対して再使用される。特定の実施形態で、ＵＥ１１６はＲｅｌ−１０ＣＳＩ−ＲＳに基づいてＲｅｌ−１０  ＣＱＩ／ＰＭＩＲＩを誘導するために使用される同じ手順を適用することによって、Ｈ−ＣＳＩ−ＲＳを使用してＨ−ＣＳＩを導出する。特定の実施形態で、ＵＥ１１６はＲｅｌ−１０ＣＳＩ−ＲＳに基づいてＲｅｌ−１０  ＣＱＩ／ＰＭＩＲＩを誘導するために使用される同じ手順を適用することによって、Ｖ−ＣＳＩ−ＲＳを使用してＶ−ＣＳＩを導出する。
【０１５１】
あるいは、３ＧＰＰ  ＬＴＥ  Ｒｅｌ−８、及びＲｅｌ−１０２−Ｔｘ、４−Ｔｘ及び８−ＴｘＤＬコードブックは、Ｈ−ＰＭＩコードブックのみのために再使用され、Ｖ−ＰＭＩコードブックは新しく設計され、またはＨ−ＰＭＩ及びＶ−ＰＭＩコードブックのすべては新しく設計される。
【０１５２】
この時、ＣＳＩ−ＲＳ設定は、設定されたＣＳＩ−ＲＳがＨ−ＣＳＩ−ＲＳであるかまたはＶ−ＣＳＩ−ＲＳであるかを表示するために、ＣＳＩ−ＲＳタイプフィールドを含むことができる。ＵＥ１１６がＨ−ＣＳＩ−ＲＳで設定される場合、ＵＥ１１６はＨ−ＣＳＩ−ＲＳを使用してチャンネルを推定してＨ−ＰＭＩコードブックを使用してＰＭＩ（Ｈ−ＰＭＩ）を導出する。あるいは、ＵＥ１１６がＶ−ＣＳＩ−ＲＳで設定される場合、ＵＥ１１６はＶ−ＣＳＩ−ＲＳを使用してチャンネルを推定してＶ−ＰＭＩコードブックを使用してＰＭＩ（Ｖ−ＰＭＩ）を導出する。
【０１５３】
同様に、ＣＳＩ−ＲＳ設定は、ＰＭＩコードブックが設定されたＣＳＩ−ＲＳを使用してＰＭＩを誘導するために使用されなければならないかを表示するために、ＰＭＩコードブック情報フィールドを含むことができる。ＵＥ１１６がＣＳＩ−ＲＳの設定シグナリング及びＨ−ＰＭＩコードブックを受信する場合、ＵＥ１１６は設定されたＣＳＩ−ＲＳを使用してチャンネルを推定してＨ−ＰＭＩコードブックを使用してＰＭＩ（Ｈ−ＰＭＩ）を導出する。一方、ＵＥ１１６がＣＳＩ−ＲＳの設定シグナリング及びＶ−ＰＭＩコードブックを受信する場合、ＵＥ１１６は設定されたＣＳＩ−ＲＳを使用してチャンネルを推定してＶ−ＰＭＩコードブックを使用してＰＭＩ（Ｖ−ＰＭＩ）を導出する。
【０１５４】
あるいは、ＰＭＩコードブック情報はＣＳＩ−ＲＳ設定とは別途にシグナリングされることができる。以後、ＵＥ１１６は、設定されたＰＭＩコードブック情報によって、第１のＰＭＩコードブックまたは第２のＰＭＩコードブックを使用してＨ−ＰＭＩ及びＶ−ＰＭＩを導出する。特定の実施形態で、第１のＰＭＩコードブックは、３ＧＰＰ  ＬＴＥ  Ｒｅｌ−８、及びＲｅｌ−１０２−Ｔｘ、４−Ｔｘ、及び８−ＴｘＤＬコードブックであり得、第２のＰＭＩコードブックは新しく設計されたコードブックであり得る。
【０１５５】
特定の実施形態で、Ｈ−ＰＭＩコードブック及びＶ−ＰＭＩコードブックのコードブックサイズは相異なる。一例で、垂直ビームのビーム解像度より、より良好な水平ビームのビーム解像度を割り当てるために、Ｖ−ＰＭＩに対してより、Ｈ−ＰＭＩに対してサイズがより大きいコードブックが使用される。一例で、水平ビームのビーム解像度より、より良好な垂直ビームのビーム解像度を割り当てるために、Ｈ−ＰＭＩに対してより、Ｖ−ＰＭＩに対してサイズがより大きいコードブックが使用される。
【０１５６】
図１０は、本発明の実施形態による水平及び垂直ＣＳＩ−ＲＳ  ＡＰの構成を示す。図１０に示された構成１０００の実施形態は、説明のためのものであるにすぎない。本発明の範囲から逸脱することなく他の実施形態が使用され得る。
【０１５７】
特定の実施形態で、水平及び垂直ＣＳＩ−ＲＳ  ＡＰ（構成例１）の構成１０００で、ＮＨ個の水平ＣＳＩ−ＲＳ  ＡＰ（すなわち、Ｈ−ＡＰｓ０、ＮＨ−１）は、アクティブアンテナアレイの行１００５から送信され、Ｎｖ個の垂直ＣＳＩ−ＲＳ  ＡＰ（すなわち、Ｖ−ＡＰｓ０、Ｎｖ−１）は、アクティブアンテナアレイの列１０１０から送信される。図１０に示された例で、水平ＣＳＩ−ＲＳ  ＡＰは、アンテナアレイの第１の行１００５から送信されるが、垂直ＣＳＩ−ＲＳ  ＡＰは、アンテナアレイの第１の列１０１０から送信される。
【０１５８】
Ｈ−ＣＳＩ−ＲＳ及びＶ−ＣＳＩ−ＲＳが同一のサブフレームで送信される場合、一つのＣＳＩ−ＲＳ  ＡＰが２セットのＣＳＩ−ＲＳ  ＡＰ間で共有され得る。例えば、但し一つのポートＣＳＩ−ＲＳ  ＲＥにマッピングされた一つのＣＳＩ−ＲＳ信号のみがＨ−ＡＰ０及びＶ−ＡＰ０に対して送信される。あるいは、二つのＣＳＩ−ＲＳ  ＡＰが同一のサブフレームに予約されている場合にも、Ｈ−ＣＳＩ−ＲＳ及びＶ−ＣＳＩ−ＲＳは、時間−周波数グリッドにまた直交及び独立マッピングされることもできる。
【０１５９】
図１１は、本発明の実施形態による水平及び垂直ＣＳＩ−ＲＳ  ＡＰの構成を示す。図１１に示された構成１１００の実施形態は、説明のためのものであるにすぎない。本発明の範囲から逸脱することなく他の実施形態が使用され得る。
【０１６０】
特定の実施形態で、水平及び垂直ＣＳＩ−ＲＳ  ＡＰの構成１１００（構成例２）で、ＮＨ個のＨ−ＣＳＩ−ＲＳ  ＡＰに対するＮＨ個の水平ＣＳＩ−ＲＳ（すなわち、Ｈ−ＡＰｓ０、・・・、ＮＨ−１）の各々は、アクティブアンテナアレイの列１１０５から送信される。それぞれのＨ−ＣＳＩ−ＲＳ信号は［ｐ１ｐ２・・・ｐＮＶ］ｔのプリコーディングベクトルでプリコーディングされ、ここで、プリコーディングはアクティブアンテナアレイの各列のアンテナ要素を横切って適用される。
【０１６１】
あるいは、Ｎｖ個のＡＰに対するＮｖ個の垂直ＣＳＩ−ＲＳ（すなわち、Ｖ−ＡＰｓ０、・・・、Ｎｖ−１）の各々は、アクティブアンテナアレイの行１１１０から送信される。それぞれのＨ−ＣＳＩ−ＲＳ信号は［ｑ１ｑ２・・・ｑＮＨ］ｔのプリコーディングベクトルでプリコーディングされ、ここで、プリコーディングはアクティブアンテナアレイの各行のアンテナ要素を横切って適用される。
【０１６２】
また、ＣＳＩ−ＲＳ信号を生成するプリコーディングがアンテナ仮想化プリコーディングとして参照表示される。図１１に示されたように、構成１１００は、相異なるプリコーディングベクトルが相異なるＶ−ＣＳＩ−ＲＳ（またはＨ−ＣＳＩ−ＲＳ）に対応する相異なる行（または列）を横切って適用される構成で容易に拡張されることができる。
【０１６３】
図１２は、本発明の実施形態による水平ＣＳＩ−ＲＳ  ＡＰの第１及び第２のセットを示す。図１２に示された水平ＣＳＩ−ＲＳ  ＡＰの第１及び第２のセットを含む送信器チェーン１２００の実施形態は、説明のためのものであるにすぎない。本発明の範囲から逸脱することなく他の実施形態が使用され得る。
【０１６４】
第１及び第２の水平ＣＳＩ−ＲＳ  ＡＰの設定：
【０１６５】
特定の実施形態で、少なくとも２セットのＣＳＩ−ＲＳ  ＡＰのうち２セットのＣＳＩ−ＲＳ  ＡＰ（１２０５及び１２１０）が別途に構成される。２セットは各々２Ｄアクティブアンテナアレイ４０５でアンテナ要素の列に対応するＮＨ個のＨ−ＣＳＩ−ＲＳ  ＡＰでなされる。ここで、２セットのＨ−ＣＳＩ−ＲＳ  ＡＰ（１２０５及び１２１０）は、ＵＥの水平及び垂直ＣＳＩ推定のために使用される。
【０１６６】
この場合、ＴＰでのアンテナポートの総個数Ｎは、２セットのＣＳＩ−ＲＳ（１２０５及び１２１０）に対する設定から別途にＲＲＣ設定される。アンテナポートの総個数Ｎ＝ＮＨｘＮｖは、Ｎ個のアンテナチャンネルに対するジョイントＣＱＩ及びジョイントＰＭＩのうち少なくとも一つを導出するために使用される。
【０１６７】
図１３は、本発明の実施形態による２セットのＨ−ＣＳＩ−ＲＳ  ＡＰの構成を示す。図１３に示された構成１３００の実施形態は、説明のためのものであるにすぎない。本発明の範囲から逸脱することなく他の実施形態が使用され得る。
【０１６８】
特定の実施形態で、２セットのＨ−ＣＳＩ−ＲＳ  ＡＰの構成１３００（セット構成例１）で、２セットのＨ−ＣＳＩ−ＲＳ  ＡＰに対応するアンテナ要素の二つの列は、２Ｄアクティブアンテナアレイ４０５での初めての二つの列１３０５である。この場合、ＵＥ１１６は水平ＣＳＩを推定する従来の方法によって水平ＣＳＩを決定するだけでなく、２列間の位相差を推定して２Ｄアクティブアンテナアレイ４０５で全体ＮＨｘＮｖ個のアンテナに対する垂直ＣＳＩを決定する。ネットワークが二つのＨ−ＣＳＩ−ＲＳ  ＡＰに対応する二つの列のインデックスのうち少なくとも一つをそれぞれのＵＥに表示するように設定される場合に、ネットワークにより二つの列が設定されることができる。例えば、初めての二つの列（１３０５及び１３１０）が図１３に示された例でのように二つのＨ−ＣＳＩ−ＲＳ  ＡＰに対応する場合、ネットワークは、それぞれのＵＥに二つの列インデックスである列インデックス０（１３０５）及び列インデックス１（１３１０）をそれぞれのＵＥに設定する。
【０１６９】
特定の実施形態で、ｅＮＢ１０２は、二つのＨ−ＣＳＩ−ＲＳ  ＡＰに対応する二つの列の二つのインデックスの差をＵＥ１１６にシグナリングする。例えば、図１３に示された例でのように、初めての二つの列が二つのＨ−ＣＳＩ−ＲＳ  ＡＰに対応する場合、ネットワークは二つ列のインデックスの差、すなわち（１−０）＝１を各ＵＥに設定する。
【０１７０】
図１３に示された例は、説明のためのものである。２ＤアンテナアレイのＮｖ個の列に対応するＨ−ＣＳＩ−ＲＳ  ＡＰのＮｖ個のセットを構成するために同一のアイディアが使用されることができる。
【０１７１】
あるいは、ＣＳＩ−ＲＳ設定は、設定されたＣＳＩ−ＲＳが第１のＨ−ＣＳＩ−ＲＳであるか第２のＨ−ＣＳＩ−ＲＳであるかを表示するＣＳＩ−ＲＳタイプフィールドを含む。
【０１７２】
図１４は、本発明の実施形態による２セットのＨ−ＣＳＩ−ＲＳ  ＡＰの構成を示す。図１４に示された構成１４００の実施形態は、説明のためのものであるにすぎない。本発明の範囲から逸脱することなく他の実施形態が使用され得る。
【０１７３】
特定の実施形態で、２セットのＨ−ＣＳＩ−ＲＳ  ＡＰ（セット構成例２）の構成１４００で、二つの相異なる仮想化プリコーディングベクトルが２セットのＨ−ＣＳＩ−ＲＳ  ＡＰ（１４０５及び１４１０）に適用される。第１のセット１４０５でそれぞれのＨ−ＣＳＩ−ＲＳ信号はプリコーディングベクトル［ｐ１ｐ２・・・ｐＮＶ］ｔでプリコーディングされ、第２のセットでそれぞれのＨ−ＣＳＩ−ＲＳはプリコーディングベクトル［ｑ１ｑ２・・・ｑＮＶ］ｔでプリコーディングされ、ここで、プリコーディングベクトルはＨ−ＣＳＩ−ＲＳ  ＡＰセットの各々でアクティブアンテナアレイの各行のアンテナ要素を横切って適用される。ＵＥ１１６は２セットのＨ−ＣＳＩ−ＲＳ  ＡＰ（１４０５及び１４１０）間の位相差を推定することによって、２Ｄアクティブアンテナアレイ４０５で全体ＮＨｘＮｖ個のアンテナに対する垂直ＣＳＩを決定するだけでなく、水平ＣＳＩを推定する従来の方法によって水平ＣＳＩを推定する。ネットワークにより二つの仮想化プリコーディングベクトルが各ＵＥに表示されることができる。
【０１７４】
図１５は、本発明の実施形態による一次及び二次ＣＳＩ−ＲＳ  ＡＰを示す。図１５に示された一次及び二次ＣＳＩ−ＲＳ  ＡＰを含む送信器チェーン１５００の実施形態は、説明のためのものであるにすぎない。本発明の範囲から逸脱することなく他の実施形態が使用され得る。
【０１７５】
あるいは、ＣＳＩ−ＲＳ設定は、設定されたＣＳＩ−ＲＳが一次ＣＳＩ−ＲＳであるか二次ＣＳＩ−ＲＳであるかを表示するＣＳＩ−ＲＳタイプフィールドを含む。
【０１７６】
第１及び第２の水平ＣＳＩ−ＲＳ  ＡＰの設定：
【０１７７】
特定の実施形態で、少なくとも２セットのＣＳＩ−ＲＳ  ＡＰのうちで２セットのＣＳＩ−ＲＳ  ＡＰ、すなわち１セットの一次ＣＳＩ−ＲＳ  ＡＰ１５０５及び１セットの二次ＣＳＩ−ＲＳ  ＡＰ１５１０が別途に構成されて設定される（期間も）。
【０１７８】
一次ＣＳＩ−ＲＳ  ＡＰ１５０５：特定の実施形態で、ＵＥ１１６は一次ＣＳＩ−ＲＳ１５０５が水平に配置されたアンテナ要素（ＮＨ）に対応するか、垂直に配置されたアンテナ要素（Ｎｖ）に対応するかによって、Ｈ−ＣＳＩまたはＶ−ＣＳＩを導出するために一次ＣＳＩ−ＲＳ  ＡＰ１５０５セットを利用する。ＵＥ１１６が一次ＣＳＩ−ＲＳ１５０５のうちＨ−ＣＳＩまたはＶ−ＣＳＩを導出することができるか否かはネットワークにより表示されるか、標準規格書に決まっている（例えば、メモリ３６０に予め保存されている）。
【０１７９】
二次ＣＳＩ−ＲＳ  ＡＰ１５１０：特定の実施形態で、ＵＥ１１６は、Ｖ−ＣＳＩ−ＲＳまたはＨ−ＣＳＩ−ＲＳを決定するために一次ＣＳＩ−ＲＳ  ＡＰ１５０５と二次ＣＳＩ−ＲＳ  ＡＰ１５１０を組合する。一例で、一次ＣＳＩ−ＲＳ  ＡＰ１５０５が水平に配置されたアンテナ要素に対応して、Ｈ−ＣＳＩ−ＲＳを推定するために使用される場合、Ｖ−ＣＳＩ−ＲＳを推定するために一次ＣＳＩ−ＲＳ  ＡＰ１５０５と共に二次ＣＳＩ−ＲＳ  ＡＰ１５１０が使用されることができる。他の例で、一次ＣＳＩ−ＲＳ  ＡＰ１５０５が垂直に配置されたアンテナ要素に対応し、Ｖ−ＣＳＩ−ＲＳを推定するために使用される場合、Ｈ−ＣＳＩ−ＲＳを推定するために一次ＣＳＩ−ＲＳ  ＡＰ１５０５と共に二次ＣＳＩ−ＲＳ  ＡＰ１５１０が使用されることができる。二次ＡＰの個数は、一次ＡＰの個数より小さいか、一次ＣＳＩ−ＲＳ  ＡＰ１５０５の個数と別途に設定されることができる。
【０１８０】
この場合、ＴＰでのアンテナポートの総個数Ｎは、２セットのＣＳＩ−ＲＳに対する設定と別途にＲＲＣ設定される。アンテナポートの総個数Ｎ＝ＮＨｘＮｖはＮ個のアンテナチャンネルに対するジョイントＣＱＩ及びジョイントＰＭＩのうち少なくとも一つを導出するために使用される。
【０１８１】
図１６は、本発明の実施形態による一次及び二次ＣＳＩ−ＲＳの構成を示す。図１６に示された構成１６００の実施形態は、説明のためのものであるにすぎない。本発明の範囲から逸脱することなく他の実施形態が使用され得る。
【０１８２】
図１６に示された一次及び２次ＣＳＩ−ＲＳの構成例で、第１のＣＳＩ−ＲＳ１６０５はＨ−ＣＳＩ−ＲＳである一方、二次ＣＳＩ−ＲＳ１６１０に対しては、２Ｄアクティブアンテナアレイ４０５の第２の列の第１のアンテナ要素１６１５である一つのＡＰのみが提供される。ＵＥ１１６がこのような一次及び二次ＣＳＩ−ＲＳで設定される場合、ＵＥ１１６は一次ＣＳＩ−ＲＳを利用するＨ−ＣＳＩを導出し、ＵＥ１１６は二つのタイプのＣＳＩ−ＲＳ間の位相差（ｐｈａｓｅ  ｄｉｆｆｅｒｅｎｃｅ）を推定することによって、一次及び二次ＣＳＩ−ＲＳを利用するＶ−ＣＳＩを導出する。一次ＣＳＩ−ＲＳに対する二次ＣＳＩ−ＲＳの相対的位置は、ネットワークにより設定されることができる。
【０１８３】
他の方法（方法３）で、ネットワークは少なくとも２セットのＣＳＩ−ＲＳ  ＡＰを設定して送信することができる。ＣＳＩ−ＲＳ  ＡＰの第１のセットは、ＵＥの第１のグループで水平ＣＳＩ推定のために使用され、ＣＳＩ−ＲＳ  ＡＰの第２のセットはＵＥの第２のグループで水平ＣＳＩ推定のために使用される。
【０１８４】
少なくとも２セットのＣＳＩ−ＲＳ  ＡＰの各々は、ＴＰ（または仰角の特定範囲）から一定の距離で最もよく受信される対象であり得る。例えば、ＣＳＩ−ＲＳの第１のセットは０乃至２００ｍの距離で最もよく受信される反面に、ＣＳＩ−ＲＳの第２のセットは２００乃至４００ｍの距離で最もよく受信される。このような作業のために、ネットワークはそれに従ってＣＳＩ−ＲＳの各セットのアンテナ仮想化プリコーディング方法を調整することができる。すなわち、ＣＳＩ−ＲＳの第１のセットは距離の第１の範囲で最もよく受信されるように第１の仮想化プリコーディングで仮想化され、ＣＳＩ−ＲＳの第２のセットは距離の第２の範囲で最もよく受信されるように第２の仮想化プリコーディングで仮想化される。
【０１８５】
ＵＥ１１６は、ＲＲＣ設定により少なくとも２セットのＣＳＩ−ＲＳ  ＡＰのうち１セットを設定することができる。以後、ＵＥ１１６は、設定されたＣＳＩ−ＲＳ  ＡＰセットに基づいて水平ＣＳＩを推定する。
【０１８６】
ＵＥ１１６は、ＲＲＣ設定により、ＣＳＩ−ＲＳ  ＡＰの第２のセットからＣＳＩ−ＲＳ  ＡＰの第１のセットに基づいて水平ＣＳＩを推定するように再設定されることができる。
【０１８７】
ＵＥ１１６は、少なくとも２セットのＣＳＩ−ＲＳ  ＡＰを設定することができる。ＵＥ１１６は、例えば、設定されたトリガーリング条件によって、少なくとも２セットのＣＳＩ−ＲＳ  ＡＰに対してＲＳＲＰを推定して報告することができる。
【０１８８】
一方、本開示は、望ましい実施形態について説明したが、様々な変形及び修正が当該技術分野における当業者に提示されることができる。本開示は、添付の特許請求の範囲内で上記のような変形及び修正を含むことができる。
【符号の説明】
【０１８９】
１００  無線ネットワーク
１０１、１０２、１０３  ｅＮＢ
１１１、１１２、１１３、１１４、１１５、１１６  ＵＥ
１３０  インターネットプロトコルネットワーク
【図１】
2015518671.tif 000032
【図２Ａ】
2015518671.tif 000033
【図２Ｂ】
2015518671.tif 000034
【図３】
2015518671.tif 000035
【図４】
2015518671.tif 000036
【図５】
2015518671.tif 000037
【図６】
2015518671.tif 000038
【図７】
2015518671.tif 000039
【図８Ａ】
2015518671.tif 000040
【図８Ｂ】
2015518671.tif 000041
【図８Ｃ】
2015518671.tif 000042
【図９】
2015518671.tif 000043
【図１０】
2015518671.tif 000044
【図１１】
2015518671.tif 000045
【図１２】
2015518671.tif 000046
【図１３】
2015518671.tif 000047
【図１４】
2015518671.tif 000048
【図１５】
2015518671.tif 000049
【図１６】
2015518671.tif 000050
【国際調査報告】
2015518671.tif 000051
2015518671.tif 000052
2015518671.tif 000053